(57)【特許請求の範囲】
【請求項１】
画像処理装置と複数の携帯情報装置とを含む会議システムであって、
前記画像処理装置は、
前記複数の携帯情報装置をそれぞれ操作する複数のユーザーを認証する認証手段と、
データを、前記複数の携帯情報装置に送信するデータ配信手段と、
前記認証された複数のユーザーをそれぞれ識別するための複数のユーザー識別情報を含む参加者情報を、前記複数の携帯情報装置に送信する参加者情報配信手段と、を備え、
前記複数の携帯情報装置それぞれは、
前記画像処理装置から受信されたデータの画像を表示する表示制御手段と、
ユーザーにより入力される描画を検出する描画検出手段と、
前記描画検出手段により検出された描画を含み、ユーザーにより入力される編集情報を検出する編集情報検出手段と、
前記検出された編集情報の少なくとも一部をコンテンツとして決定するコンテンツ決定手段と、
前記画像処理装置から受信される参加者情報に含まれる複数のユーザー識別情報のうちから１以上のユーザー識別情報を含む送信先情報を前記決定されたコンテンツに対して決定する送信先決定手段と、
前記決定されたコンテンツと前記決定されたコンテンツに対して決定された前記送信先情報とを含むスレッド生成要求を前記画像処理装置に送信する生成要求送信手段と、を備え、
前記画像処理装置は、さらに、
前記スレッド生成要求を受信することに応じて、前記複数の携帯情報装置のうちスレッド生成要求を送信してきた携帯情報装置を操作するユーザーのユーザー識別情報と、前記スレッド生成要求に含まれる前記送信先情報と、を含むグループ情報を生成するグループ情報生成手段と、
前記生成されたグループ情報と前記スレッド生成要求に含まれる前記コンテンツとを関連付けたスレッド情報を生成するスレッド情報生成手段と、
前記生成されたスレッド情報を、前記複数の携帯情報装置のうち前記スレッド情報に含まれる前記グループ情報に含まれる複数のユーザー識別情報それぞれで識別されるユーザーが操作する携帯情報装置に送信するスレッド情報配信手段と、を備え、
前記複数の携帯情報装置それぞれは、さらに、前記画像処理装置から前記スレッド情報を受信することに応じて、前記スレッド情報に含まれる前記コンテンツを前記表示されたデータの画像に重畳して表示するコンテンツ表示制御手段を備え、
前記コンテンツ決定手段は、前記描画検出手段により検出される描画が第１の領域を囲む図形の場合、前記検出された編集情報のうち前記第１の領域に含まれる部分を前記第１のコンテンツに決定し、前記コンテンツ表示制御手段により前記第１のコンテンツが表示されている状態で、前記描画検出手段により検出される描画が前記第１の領域とは別の第２の領域を囲む図形の場合、前記検出された編集情報のうち前記第２の領域に含まれる部分を前記第２のコンテンツに決定し、
前記生成要求送信手段は、前記第１のコンテンツが決定される場合、前記第１のコンテンツと、前記第１のコンテンツに対して前記送信先決定手段により決定された送信先情報とを含む第１のスレッド生成要求を前記画像処理装置に送信し、前記第２のコンテンツが決定される場合、前記第２のコンテンツと、前記第２のコンテンツに対して前記送信先決定手段により決定された送信先情報とを含む第２のスレッド生成要求を前記画像処理装置に送信し、
前記複数の携帯情報装置それぞれは、さらに、
前記コンテンツ表示制御手段により前記第１のコンテンツが表示されている状態で、前記編集情報検出手段により編集情報が検出される場合、前記コンテンツ決定手段により前記第２のコンテンツが決定されないことを条件に、前記受信されたスレッド情報に含まれる前記第１のコンテンツに前記検出された編集情報を追加することにより前記第１のコンテンツを更新するコンテンツ更新手段と、
前記第１のコンテンツが更新される場合、前記受信されたスレッド情報の前記第１のコンテンツを前記更新された第１のコンテンツで置き換えるスレッド更新手段と、
前記更新されたスレッド情報を前記画像処理装置に送信する更新スレッド送信手段と、を備え、
前記画像処理装置が備える前記スレッド情報配信手段は、前記複数の携帯情報装置のいずれかから前記更新されたスレッド情報を受信する場合、前記更新されたスレッド情報を、前記複数の携帯情報装置のうち前記更新されたスレッド情報に含まれる前記グループ情報に含まれる複数のユーザー識別情報それぞれで識別されるユーザーが操作する携帯情報装置に送信する、会議システム。
【請求項２】
前記複数の携帯情報装置それぞれは、さらに、
前記コンテンツ表示制御手段により前記第１のコンテンツが表示されている状態で、前記参加者情報に含まれる複数のユーザー識別情報のうち前記受信されたスレッド情報に含まれる前記グループ情報に含まれていないユーザー識別情報の指定を受け付ける追加指示受付手段と、
前記受信されたスレッド情報の前記グループ情報に、前記指定されたユーザー識別情報を追加することにより前記グループ情報を更新するグループ情報更新手段と、を備え、
前記スレッド更新手段は、前記グループ情報が更新される場合、前記受信されたスレッド情報の前記グループ情報を前記更新されたグループ情報で置き換える、請求項１に記載の会議システム。
【請求項３】
前記画像処理装置は、前記複数の携帯情報装置のいずれかから前記スレッド生成要求を受信する場合、前記複数の携帯情報装置のうち前記スレッド生成要求を送信してきた携帯情報装置を操作するユーザーを識別するためのユーザー識別情報を作成元情報として、前記スレッド情報に追加する作成元情報追加手段を、さらに備え、
前記複数の携帯情報装置それぞれは、前記コンテンツと前記作成元情報とを関連付けて表示する関連付表示手段を、さらに備える、請求項１または２に記載の会議システム。
【請求項４】
前記画像処理装置が備える前記作成元情報追加手段は、前記複数の携帯情報装置のいずれかから前記スレッド情報を受信する場合、前記複数の携帯情報装置のうち前記スレッド情報を送信してきた携帯情報装置を操作するユーザーを識別するためのユーザー識別情報を作成元情報として、前記スレッド情報に追加する、請求項３に記載の会議システム。
【請求項５】
前記複数の携帯情報装置それぞれは、さらに、
前記参加者情報に含まれる複数のユーザー識別情報を表示する参加者情報表示手段を、備え、
前記関連付表示手段は、前記表示された複数のユーザー識別情報のうち前記作成元情報で特定されるユーザー識別情報の表示態様を、他のユーザー識別情報の表示態様と異ならせる、請求項３または４に記載の会議システム。
【請求項６】
画像処理装置と複数の携帯情報装置とを含む会議システムで実行される連絡方法であって、
前記画像処理装置に、
前記複数の携帯情報装置をそれぞれ操作する複数のユーザーを認証する認証ステップと、
データを、前記複数の携帯情報装置に送信するデータ配信ステップと、
前記認証された複数のユーザーをそれぞれ識別するための複数のユーザー識別情報を含む参加者情報を、前記複数の携帯情報装置に送信する参加者情報配信ステップと、を実行させ、
前記複数の携帯情報装置それぞれに、
前記画像処理装置から受信されたデータの画像を表示する表示制御ステップと、
ユーザーにより入力される描画を検出する描画検出ステップと、
前記描画検出ステップにより検出された描画を含み、ユーザーにより入力される編集情報を検出する編集情報検出ステップと、
前記検出された編集情報の少なくとも一部をコンテンツとして決定するコンテンツ決定ステップと、
前記画像処理装置から受信される参加者情報に含まれる複数のユーザー識別情報のうちから１以上のユーザー識別情報を含む送信先情報を前記決定されたコンテンツに対して決定する送信先ステップと、
前記決定されたコンテンツと前記決定されたコンテンツに対して決定された前記送信先情報とを含むスレッド生成要求を前記画像処理装置に送信する生成要求送信ステップと、を実行させ、
前記画像処理装置に、さらに、
前記スレッド生成要求を受信することに応じて、前記複数の携帯情報装置のうちスレッド生成要求を送信してきた携帯情報装置を操作するユーザーのユーザー識別情報と、前記スレッド生成要求に含まれる前記送信先情報と、を含むグループ情報を生成するグループ情報生成ステップと、
前記生成されたグループ情報と前記スレッド生成要求に含まれる前記コンテンツとを関連付けたスレッド情報を生成するスレッド情報生成ステップと、
前記生成されたスレッド情報を、前記複数の携帯情報装置のうち前記スレッド情報に含まれる前記グループ情報に含まれる複数のユーザー識別情報それぞれで識別されるユーザーが操作する携帯情報装置に送信するスレッド情報配信ステップと、を実行させ、
前記複数の携帯情報装置それぞれに、さらに、前記画像処理装置から前記スレッド情報を受信することに応じて、前記スレッド情報に含まれる前記コンテンツを前記表示されたデータの画像に重畳して表示するコンテンツ表示制御ステップを実行させ、
前記コンテンツ決定ステップは、前記描画検出ステップにおいて検出される描画が第１の領域を囲む図形の場合、前記検出された編集情報のうち前記第１の領域に含まれる部分を前記第１のコンテンツに決定し、前記コンテンツ表示制御ステップにおいて前記第１のコンテンツが表示されている状態で、前記描画検出ステップにおいて検出される描画が前記第１の領域とは別の第２の領域を囲む図形の場合、前記検出された編集情報のうち前記第２の領域に含まれる部分を前記第２のコンテンツに決定ステップを含み、
前記生成要求送信ステップは、前記第１のコンテンツが決定される場合、前記第１のコンテンツと、前記第１のコンテンツに対して前記送信先決定ステップにおいて決定された送信先情報とを含む第１のスレッド生成要求を前記画像処理装置に送信し、前記第２のコンテンツが決定される場合、前記第２のコンテンツと、前記第２のコンテンツに対して前記送信先決定ステップにおいて決定された送信先情報とを含む第２のスレッド生成要求を前記画像処理装置に送信するステップを含み、
前記複数の携帯情報装置それぞれに、さらに、
前記コンテンツ表示制御ステップにおいて前記第１のコンテンツが表示されている状態で、前記編集情報検出ステップにおいて編集情報が検出される場合、前記コンテンツ決定ステップにおいて前記第２のコンテンツが決定されないことを条件に、前記受信されたスレッド情報に含まれる前記第１のコンテンツに前記検出された編集情報を追加することにより前記第１のコンテンツを更新するコンテンツ更新ステップと、
前記第１のコンテンツが更新される場合、前記受信されたスレッド情報の前記第１のコンテンツを前記更新された第１のコンテンツで置き換えるスレッド更新ステップと、
前記更新されたスレッド情報を前記画像処理装置に送信する更新スレッド送信ステップと、を実行させ、
前記画像処理装置が実行する前記スレッド情報配信ステップは、前記複数の携帯情報装置のいずれかから前記更新されたスレッド情報を受信する場合、前記更新されたスレッド情報を、前記複数の携帯情報装置のうち前記更新されたスレッド情報に含まれる前記グループ情報に含まれる複数のユーザー識別情報それぞれで識別されるユーザーが操作する携帯情報装置に送信するステップを含む、連絡方法。
【請求項７】
前記複数の携帯情報装置それぞれは、さらに、
前記コンテンツ表示制御ステップにおいて前記第１のコンテンツが表示されている状態で、前記参加者情報に含まれる複数のユーザー識別情報のうち前記受信されたスレッド情報に含まれる前記グループ情報に含まれていないユーザー識別情報の指定を受け付ける追加指示受付ステップと、
前記受信されたスレッド情報の前記グループ情報に、前記指定されたユーザー識別情報を追加することにより前記グループ情報を更新するグループ情報更新ステップと、を実行させ、
前記スレッド更新ステップは、前記グループ情報が更新される場合、前記受信されたスレッド情報の前記グループ情報を前記更新されたグループ情報で置き換えるステップを含む、請求項６に記載の連絡方法。
【請求項８】
前記画像処理装置に、前記複数の携帯情報装置のいずれかから前記スレッド生成要求を受信する場合、前記複数の携帯情報装置のうち前記スレッド生成要求を送信してきた携帯情報装置を操作するユーザーを識別するためのユーザー識別情報を作成元情報として、前記スレッド情報に追加する作成元情報追加ステップを、さらに実行させ、
前記複数の携帯情報装置それぞれに、前記コンテンツと前記作成元情報とを関連付けて表示する関連付表示ステップを、さらに実行させる、請求項６または７に記載の連絡方法。
【請求項９】
前記画像処理装置が実行する前記作成元情報追加ステップは、前記複数の携帯情報装置のいずれかから前記スレッド情報を受信する場合、前記複数の携帯情報装置のうち前記スレッド情報を送信してきた携帯情報装置を操作するユーザーを識別するためのユーザー識別情報を作成元情報として、前記スレッド情報に追加するステップを含む、請求項８に記載の連絡方法。
【請求項１０】
前記複数の携帯情報装置それぞれに、さらに、
前記参加者情報に含まれる複数のユーザー識別情報を表示する参加者情報表示ステップを、実行させ、
前記関連付表示ステップは、前記表示された複数のユーザー識別情報のうち前記作成元情報で特定されるユーザー識別情報の表示態様を、他のユーザー識別情報の表示態様と異ならせるステップを含む、請求項８または９に記載の連絡方法。
【発明の詳細な説明】
【技術分野】
【０００１】
この発明は、会議システムおよび連絡方法に関し、特に、携帯情報装置と画像処理装置とを含む会議システム、その会議システムで実行される連絡方法に関する。
【背景技術】
【０００２】
近年、電子ペーパー等またはスマートホン等のＰＤＡ（Ｐｅｒｓｏｎａｌ  Ｄｉｇｉｔａｌ  Ａｓｓｉｓｔａｎｔs）は、電子化された文書を記憶可能であり、時と場所を選ばず、文書を閲覧したり、編集したりできる。さらに、無線通信機能を備えており、ネットワークに接続された別のＰＤＡとデータを送受信することができる。
【０００３】
一方、複数の参加者が参加する会議等において、複数の参加者それぞれがＰＤＡを携帯し、会議で配布される資料等を、ＰＤＡに表示することがなされている。また、予め準備された会議資料とは別に、会議の参加者間で、情報を交換する技術が知られている。
【０００４】
例えば、特開２０１０−２５１９１９号公報（特許文献１）には、液晶ディスプレイに表示された会議資料に対して、タッチパネルに書き込まれたメモ画像を検出し、液晶ディスプレイに表示し、メモ画像送信キーがタッチされたのを契機に他の装置へメモ画像を送信する端末装置が記載される。
【０００５】
また、特開２０１１−０６５３４８号公報には、発表用データを参加者用装置に送信し、選択された表示ページのページ番号を参加者用装置に送信し、参加者用装置かから指定ページのページ番号と手書き画像とを受信し、ユーザーによる操作に応じて、手書き画像を指定ページの画像と合成した合成画像を生成し、合成画像を参加者用装置に送信する発表用装置が記載されています。
【０００６】
しかしながら、複数の参加者が参加する会議において、２人以上の特定の参加者間で、他の参加者に知られることなく、情報を交換する必要がある場合があり、従来の技術によっては、複数の参加者のうちから特定の複数間で情報を交換することができないといった問題がある。
【特許文献１】特開２０１０−２５１９１９号公報
【特許文献２】特開２０１１−０６５３４８号公報
【発明の概要】
【発明が解決しようとする課題】
【０００７】
この発明は上述した問題点を解決するためになされたもので、この発明の目的の一つは、データの画像を表示しつつ、任意の複数のユーザー間で情報を交換することが可能な会議システムを提供することである。
【０００８】
この発明の他の目的は、データの画像を表示しつつ、任意の複数のユーザー間で情報を交換することが可能な連絡方法を提供することである。
【課題を解決するための手段】
【０００９】
上述した目的を達成するためにこの発明のある局面によれば、会議システムは、画像処理装置と複数の携帯情報装置とを含む会議システムであって、画像処理装置は、複数の携帯情報装置をそれぞれ操作する複数のユーザーを認証する認証手段と、データを、複数の携帯情報装置に送信するデータ配信手段と、認証された複数のユーザーをそれぞれ識別するための複数のユーザー識別情報を含む参加者情報を、複数の携帯情報装置に送信する参加者情報配信手段と、を備え、複数の携帯情報装置それぞれは、画像処理装置から受信されたデータの画像を表示する表示制御手段と、ユーザーにより入力される描画を検出する描画検出手段と、描画検出手段により検出された描画を含み、ユーザーにより入力される編集情報を検出する編集情報検出手段と、検出された編集情報の少なくとも一部をコンテンツとして決定するコンテンツ決定手段と、画像処理装置から受信される参加者情報に含まれる複数のユーザー識別情報のうちから１以上のユーザー識別情報を含む送信先情報を決定されたコンテンツに対して決定する送信先決定手段と、決定されたコンテンツと決定されたコンテンツに対して決定された送信先情報とを含むスレッド生成要求を画像処理装置に送信する生成要求送信手段と、を備え、画像処理装置は、さらに、スレッド生成要求を受信することに応じて、複数の携帯情報装置のうちスレッド生成要求を送信してきた携帯情報装置を操作するユーザーのユーザー識別情報と、スレッド生成要求に含まれる送信先情報と、を含むグループ情報を生成するグループ情報生成手段と、生成されたグループ情報とスレッド生成要求に含まれるコンテンツとを関連付けたスレッド情報を生成するスレッド情報生成手段と、生成されたスレッド情報を、複数の携帯情報装置のうちスレッド情報に含まれるグループ情報に含まれる複数のユーザー識別情報それぞれで識別されるユーザーが操作する携帯情報装置に送信するスレッド情報配信手段と、を備え、複数の携帯情報装置それぞれは、さらに、画像処理装置からスレッド情報を受信することに応じて、スレッド情報に含まれるコンテンツを表示されたデータの画像に重畳して表示するコンテンツ表示制御手段を備え、コンテンツ決定手段は、描画検出手段により検出される描画が第１の領域を囲む図形の場合、検出された編集情報のうち第１の領域に含まれる部分を第１のコンテンツに決定し、コンテンツ表示制御手段により第１のコンテンツが表示されている状態で、描画検出手段により検出される描画が第１の領域とは別の第２の領域を囲む図形の場合、検出された編集情報のうち第２の領域に含まれる部分を第２のコンテンツに決定し、生成要求送信手段は、第１のコンテンツが決定される場合、第１のコンテンツと、第１のコンテンツに対して送信先決定手段により決定された送信先情報とを含む第１のスレッド生成要求を画像処理装置に送信し、第２のコンテンツが決定される場合、第２のコンテンツと、第２のコンテンツに対して送信先決定手段により決定された送信先情報とを含む第２のスレッド生成要求を画像処理装置に送信し、複数の携帯情報装置それぞれは、さらに、コンテンツ表示制御手段により第１のコンテンツが表示されている状態で、編集情報検出手段により編集情報が検出される場合、コンテンツ決定手段により第２のコンテンツが決定されないことを条件に、受信されたスレッド情報に含まれる第１のコンテンツに検出された編集情報を追加することにより第１のコンテンツを更新するコンテンツ更新手段と、第１のコンテンツが更新される場合、受信されたスレッド情報の第１のコンテンツを更新された第１のコンテンツで置き換えるスレッド更新手段と、更新されたスレッド情報を画像処理装置に送信する更新スレッド送信手段と、を備え、画像処理装置が備えるスレッド情報配信手段は、複数の携帯情報装置のいずれかから更新されたスレッド情報を受信する場合、更新されたスレッド情報を、複数の携帯情報装置のうち更新されたスレッド情報に含まれるグループ情報に含まれる複数のユーザー識別情報それぞれで識別されるユーザーが操作する携帯情報装置に送信する。
【００１０】
この局面に従えば、複数の携帯情報装置それぞれにおいて、ユーザーにより入力された編集情報の少なくとも一部がコンテンツに決定され、複数のユーザー識別情報のうち１以上が送信先情報に決定されると、スレッド生成要求が画像形成装置に送信され、スレッド生成要求を受信する画像形成装置によって、スレッド情報が生成され、複数の携帯情報装置のうち送信先情報で特定される装置にスレッド情報が送信される。そして、スレッド情報を受信する携帯情報装置においては、画像形成装置から受信されたデータの画像に重畳して、スレッド情報に含まれるコンテンツが表示される。このため、データの画像が表示されている最中にユーザーが入力した編集情報の少なくとも一部のコンテンツが、任意の他のユーザーが操作する携帯情報装置において、データの画像に重畳して表示されるので、データの画像を閲覧しながら任意のユーザーに情報を伝達することができるとともに、データの画像を閲覧しつつ任意のユーザーからの情報を閲覧することができる。その結果、データの画像を表示しつつ、任意の複数のユーザー間で情報を交換することが可能な会議システムを提供することができる。
【００１４】
また、ユーザーは、編集情報のうちからコンテンツを手書きで指定することができ、操作が容易となる。
【００１６】
さらに、描画が第１の領域を囲む図形の場合、編集情報のうち第１の領域に含まれる部分を第１のコンテンツに決定し、第１のコンテンツが表示されている状態で、描画が第１の領域とは別の第２の領域を囲む図形の場合、編集情報のうち第２の領域に含まれる部分を第２のコンテンツに決定し、第１のコンテンツが表示されている状態で、ユーザーにより編集情報が入力されると、第２のコンテンツが決定されないことを条件に、第１のコンテンツに編集情報を追加することにより第１のコンテンツが更新され、更新後の第１のコンテンツを含むスレッド情報が送信される。このため、描画で領域を囲まない場合に第１のコンテンツを編集し、描画で領域を囲む場合に第２のコンテンツを決定するので、コンテンツごとに、過去のコンテンツと、新たにユーザーにより入力された編集情報とを含む新たなコンテンツが送信されるので、過去に情報交換した履歴とともに、新たな情報を交換することができる。
【００１７】
好ましくは、複数の携帯情報装置それぞれは、さらに、コンテンツ表示制御手段により第１のコンテンツが表示されている状態で、参加者情報に含まれる複数のユーザー識別情報のうち受信されたスレッド情報に含まれるグループ情報に含まれていないユーザー識別情報の指定を受け付ける追加指示受付手段と、受信されたスレッド情報のグループ情報に、指定されたユーザー識別情報を追加することによりグループ情報を更新するグループ情報更新手段と、を備え、スレッド更新手段は、グループ情報が更新される場合、受信されたスレッド情報のグループ情報を更新されたグループ情報で置き換える。
【００１８】
この局面に従えば、コンテンツが表示されている状態で、スレッド情報に含まれるグループ情報に含まれていないユーザー識別情報の指定が受け付けられると、グループ情報に、指定されたユーザー識別情報を追加することによりグループ情報が更新され、更新後のグループ情報に従って、スレッド情報が送信される。このため、情報を交換するユーザーを容易に追加することができる。
【００１９】
好ましくは、画像処理装置は、複数の携帯情報装置のいずれかからスレッド生成要求を受信する場合、複数の携帯情報装置のうちスレッド生成要求を送信してきた携帯情報装置を操作するユーザーを識別するためのユーザー識別情報を作成元情報として、スレッド情報に追加する作成元情報追加手段を、さらに備え、複数の携帯情報装置それぞれは、コンテンツと作成元情報とを関連付けて表示する関連付表示手段を、さらに備える。
【００２０】
この局面に従えば、スレッド生成要求を送信してきた携帯情報装置を操作するユーザーを識別するためのユーザー識別情報が作成元情報としてスレッド情報に追加され、複数の携帯情報装置それぞれにおいて、コンテンツと作成元情報とが関連付けて表示される。このため、コンテンツを送信してきたユーザーを通知することができる。
【００２１】
好ましくは、画像処理装置が備える作成元情報追加手段は、複数の携帯情報装置のいずれかからスレッド情報を受信する場合、複数の携帯情報装置のうちスレッド情報を送信してきた携帯情報装置を操作するユーザーを識別するためのユーザー識別情報を作成元情報として、スレッド情報に追加する。
【００２２】
この局面に従えば、スレッド情報を送信してきた携帯情報装置を操作するユーザーを識別するためのユーザー識別情報が作成元情報としてスレッド情報に追加され、複数の携帯情報装置それぞれにおいて、コンテンツと作成元情報とが関連付けて表示される。このため、コンテンツを送信してきたユーザーを通知することができる。
【００２３】
好ましくは、複数の携帯情報装置それぞれは、さらに、参加者情報に含まれる複数のユーザー識別情報を表示する参加者情報表示手段を、備え、関連付表示手段は、表示された複数のユーザー識別情報のうち作成元情報で特定されるユーザー識別情報の表示態様を、他のユーザー識別情報の表示態様と異ならせる。
【００２４】
この局面に従えば、参加者情報に含まれる複数のユーザー識別情報が表示され、作成元情報で特定されるユーザー識別情報の表示態様が、他のユーザー識別情報の表示態様と異なって表示されるので、コンテンツを送信してきたユーザーを表示態様の違いで知らせることができる。
【００２９】
この発明の他の局面によれば、連絡方法は、画像処理装置と複数の携帯情報装置とを含む会議システムで実行される連絡方法であって、画像処理装置に、複数の携帯情報装置をそれぞれ操作する複数のユーザーを認証する認証ステップと、データを、複数の携帯情報装置に送信するデータ配信ステップと、認証された複数のユーザーをそれぞれ識別するための複数のユーザー識別情報を含む参加者情報を、複数の携帯情報装置に送信する参加者情報配信ステップと、を実行させ、複数の携帯情報装置それぞれに、画像処理装置から受信されたデータの画像を表示する表示制御ステップと、ユーザーにより入力される描画を検出する描画検出ステップと、描画検出ステップにより検出された描画を含み、ユーザーにより入力される編集情報を検出する編集情報検出ステップと、検出された編集情報の少なくとも一部をコンテンツとして決定するコンテンツ決定ステップと、画像処理装置から受信される参加者情報に含まれる複数のユーザー識別情報のうちから１以上のユーザー識別情報を含む送信先情報を決定されたコンテンツに対して決定する送信先ステップと、決定されたコンテンツと決定されたコンテンツに対して決定された送信先情報とを含むスレッド生成要求を画像処理装置に送信する生成要求送信ステップと、を実行させ、画像処理装置に、さらに、スレッド生成要求を受信することに応じて、複数の携帯情報装置のうちスレッド生成要求を送信してきた携帯情報装置を操作するユーザーのユーザー識別情報と、スレッド生成要求に含まれる送信先情報と、を含むグループ情報を生成するグループ情報生成ステップと、生成されたグループ情報とスレッド生成要求に含まれるコンテンツとを関連付けたスレッド情報を生成するスレッド情報生成ステップと、生成されたスレッド情報を、複数の携帯情報装置のうちスレッド情報に含まれるグループ情報に含まれる複数のユーザー識別情報それぞれで識別されるユーザーが操作する携帯情報装置に送信するスレッド情報配信ステップと、を実行させ、複数の携帯情報装置それぞれに、さらに、画像処理装置からスレッド情報を受信することに応じて、スレッド情報に含まれるコンテンツを表示された画像に重畳して表示するコンテンツ表示制御ステップを実行させ、コンテンツ決定ステップは、描画検出ステップにおいて検出される描画が第１の領域を囲む図形の場合、検出された編集情報のうち第１の領域に含まれる部分を第１のコンテンツに決定し、コンテンツ表示制御ステップにおいて第１のコンテンツが表示されている状態で、描画検出ステップにおいて検出される描画が第１の領域とは別の第２の領域を囲む図形の場合、検出された編集情報のうち第２の領域に含まれる部分を第２のコンテンツに決定ステップを含み、生成要求送信ステップは、第１のコンテンツが決定される場合、第１のコンテンツと、第１のコンテンツに対して送信先決定ステップにおいて決定された送信先情報とを含む第１のスレッド生成要求を画像処理装置に送信し、第２のコンテンツが決定される場合、第２のコンテンツと、第２のコンテンツに対して送信先決定ステップにおいて決定された送信先情報とを含む第２のスレッド生成要求を画像処理装置に送信するステップを含み、複数の携帯情報装置それぞれに、さらに、コンテンツ表示制御ステップにおいて第１のコンテンツが表示されている状態で、編集情報検出ステップにおいて編集情報が検出される場合、コンテンツ決定ステップにおいて第２のコンテンツが決定されないことを条件に、受信されたスレッド情報に含まれる第１のコンテンツに検出された編集情報を追加することにより第１のコンテンツを更新するコンテンツ更新ステップと、第１のコンテンツが更新される場合、受信されたスレッド情報の第１のコンテンツを更新された第１のコンテンツで置き換えるスレッド更新ステップと、更新されたスレッド情報を画像処理装置に送信する更新スレッド送信ステップと、を実行させ、画像処理装置が実行するスレッド情報配信ステップは、複数の携帯情報装置のいずれかから更新されたスレッド情報を受信する場合、更新されたスレッド情報を、複数の携帯情報装置のうち更新されたスレッド情報に含まれるグループ情報に含まれる複数のユーザー識別情報それぞれで識別されるユーザーが操作する携帯情報装置に送信するステップを含む。
【００３０】
この局面に従えば、データの画像を表示しつつ、任意の複数のユーザー間で情報を交換することが可能な連絡方法を提供することができる。
好ましくは、複数の携帯情報装置それぞれは、さらに、コンテンツ表示制御ステップにおいて第１のコンテンツが表示されている状態で、参加者情報に含まれる複数のユーザー識別情報のうち受信されたスレッド情報に含まれるグループ情報に含まれていないユーザー識別情報の指定を受け付ける追加指示受付ステップと、受信されたスレッド情報のグループ情報に、指定されたユーザー識別情報を追加することによりグループ情報を更新するグループ情報更新ステップと、を実行させ、スレッド更新ステップは、グループ情報が更新される場合、受信されたスレッド情報のグループ情報を更新されたグループ情報で置き換えるステップを含む。
好ましくは、画像処理装置に、複数の携帯情報装置のいずれかからスレッド生成要求を受信する場合、複数の携帯情報装置のうちスレッド生成要求を送信してきた携帯情報装置を操作するユーザーを識別するためのユーザー識別情報を作成元情報として、スレッド情報に追加する作成元情報追加ステップを、さらに実行させ、複数の携帯情報装置それぞれに、コンテンツと作成元情報とを関連付けて表示する関連付表示ステップを、さらに実行させる。
好ましくは、画像処理装置が実行する作成元情報追加ステップは、複数の携帯情報装置のいずれかからスレッド情報を受信する場合、複数の携帯情報装置のうちスレッド情報を送信してきた携帯情報装置を操作するユーザーを識別するためのユーザー識別情報を作成元情報として、スレッド情報に追加するステップを含む。
好ましくは、複数の携帯情報装置それぞれに、さらに、参加者情報に含まれる複数のユーザー識別情報を表示する参加者情報表示ステップを、実行させ、関連付表示ステップは、表示された複数のユーザー識別情報のうち作成元情報で特定されるユーザー識別情報の表示態様を、他のユーザー識別情報の表示態様と異ならせるステップを含む。

【図面の簡単な説明】
【００３１】
【図１】本発明の実施の形態の１つにおける会議システムの全体概要を示す図である。
【図２】ＭＦＰのハードウエア構成の概要を示すブロック図である。
【図３】操作パネルの一例を示す平面図である。
【図４】携帯情報装置のハードウエア構成の一例を示すブロック図である。
【図５】ＭＦＰが備えるＣＰＵが有する機能の一例を示す図である。
【図６】携帯情報装置が備えるＣＰＵが有する機能の一例を示す図である。
【図７】閲覧処理の流れの一例を示すフローチャートである。
【図８】スレッド管理処理の流れの一例を示すフローチャートである。
【図９】ユーザーＡが操作する携帯情報装置に表示される第１の表示画面の編集情報入力時における一例を示す図である。
【図１０】第１の表示画面のスレッド生成時における一例を示す図である。
【図１１】第１の表示画面のスレッド生成時における変形例の一例を示す図である。
【図１２】ユーザーＢが操作する携帯情報装置に表示される第２の表示画面の編集情報入力時における一例を示す図である。
【図１３】スレッドにユーザーを追加する場合における第１の表示画面の一例を示す図である。
【図１４】スレッドにユーザーを追加する変形例における第１の表示画面の一例を示す第２の図である。
【図１５】新たなスレッド生成時における第１の表示画面の一例を示す図である。
【図１６】ユーザーＣが操作する携帯情報装置に表示される第３の表示画面の一例を示す図である。
【発明を実施するための形態】
【００３２】
以下、本発明の実施の形態について図面を参照して説明する。以下の説明では同一の部品には同一の符号を付してある。それらの名称および機能も同じである。したがってそれらについての詳細な説明は繰り返さない。
【００３３】
図１は、本発明の実施の形態の１つにおける会議システムの全体概要を示す図である。図１を参照して、会議システム１は、複合機（以下、「ＭＦＰ」という）１００と、携帯情報装置２００，２００Ａ，２００Ｂ，２００Ｃ，２００Ｄと、無線局５と、を含む。ＭＦＰ１００と、無線局５とは、ネットワーク３に接続される。このため、ＭＦＰ１００および無線局５各々は、ネットワーク３を介して互いに通信可能である。
【００３４】
携帯情報装置２００，２００Ａ，２００Ｂ，２００Ｃ，２００Ｄは、電子ペーパー、またはスマートホン等のＰＤＡ（Ｐｅｒｓｏｎａｌ  Ｄｉｇｉｔａｌ  Ａｓｓｉｓｔａｎｔs）である。ここでは、携帯情報装置２００，２００Ａ，２００Ｂ，２００Ｃ，２００Ｄを、ＰＤＡとする場合を例に説明する。携帯情報装置２００，２００Ａ，２００Ｂ，２００Ｃ，２００Ｄは、無線ＬＡＮ通信機能を備えている。
【００３５】
また、携帯情報装置２００，２００Ａ，２００Ｂ，２００Ｃ，２００Ｄそれぞれは、表面に液晶携帯情報装置（ＬＣＤ）と、タッチパネルとを備えている。携帯情報装置２００，２００Ａ，２００Ｂ，２００Ｃ，２００Ｄそれぞれを操作するユーザーは、ＬＣＤに表示された画像を閲覧するとともに、ペン２０１、２０１Ａ，２０１Ｂ，２０１Ｃ，２０１Ｄを用いてタッチパネルに手書きの文字または図形を入力することができる。
【００３６】
無線局５は、ネットワーク３の中継装置であり、無線ＬＡＮ通信機能を備えた携帯情報装置２００，２００Ａ，２００Ｂ，２００Ｃ，２００Ｄと通信して、携帯情報装置２００，２００Ａ，２００Ｂ，２００Ｃ，２００Ｄをネットワーク３に接続する。このため、携帯情報装置２００，２００Ａ，２００Ｂ，２００Ｃ，２００Ｄは、ネットワーク３に接続された、ＭＦＰ１００とデータの送受信が可能である。
【００３７】
ネットワーク３は、ローカルエリアネットワーク（ＬＡＮ）であり、接続形態は有線または無線を問わない。またネットワーク３は、ＬＡＮに限らず、ワイドエリアネットワーク（ＷＡＮ）、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク３は、インターネットに接続されている。このため、ＭＦＰ１００、携帯情報装置２００，２００Ａ，２００Ｂ，２００Ｃ，２００Ｄ各々は、インターネットに接続されたサーバー等のコンピューターと通信が可能である。
【００３８】
なお、図ではネットワーク３に、画像処理装置として１台のＭＦＰ（Ｍｕｌｔｉ  Ｆｕｎｃｔｉｏｎ  Ｐｅｒｉｐｈｅｒａｌ）１００が接続される例を示しているが、ＭＦＰの数はこれに限定されるものではなく、１台以上であればよい。また、ＭＦＰ１００に代えて、例えば、コンピューター、ファクシミリ、プリンタ等であってもよい。また、ネットワーク３に、５台の携帯情報装置２００，２００Ａ，２００Ｂ，２００Ｃ，２００Ｄが接続される例を示しているが、台数を限定するものではなく、２台以上であればよい。
【００３９】
本実施の形態における会議システム１においては、会議に参加するユーザーそれぞれが、携帯情報装置２００，２００Ａ，２００Ｂ，２００Ｃを携帯し、資料を閲覧する場合を例に説明する。携帯情報装置２００，２００Ａ，２００Ｂ，２００Ｃ，２００Ｄそれぞれが、ＭＦＰ１００と通信し、データを送受信する。データを送受信するプロトコルは、特に限定されることはなく、任意のプロトコルを用いることが可能である。
【００４０】
なお、ここでは１つの会議室で会議する場合を例に説明するが、物理的に離れた複数の空間に参加者が存在してもよい。この場合には、別の会議室に参加するユーザーは、携帯情報装置を携帯し、その携帯情報装置に表示される画像を閲覧することにより、参加者全員が同じ画像を閲覧することができる。なお、参加者の音声および画像は、複数の会議室それぞれに、カメラ、ディスプレイ装置、マイクロホンおよびスピーカーを設定し、複数の会議室間で、カメラで撮影した映像およびマイクロホンで集音した音声を送受信し、受信された映像をディスプレイに表示し、受信された音声をスピーカーから出力するようにすればよい。
【００４１】
図２は、ＭＦＰのハードウエア構成の概要を示すブロック図である。図２を参照して、ＭＦＰ１００は、メイン回路１１０と、原稿を読み取る原稿読取部１３０と、原稿を原稿読取部１３０に搬送する自動原稿搬送装置１２０と、原稿読取部１３０が原稿を読み取って出力する画像データに基づいて用紙等に画像を形成する画像形成部１４０と、画像形成部１４０に用紙を供給する給紙部１５０と、ユーザーインターフェースとしての操作パネル１６０とを含む。
【００４２】
メイン回路１１０は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ＣＤ−ＲＯＭ（Ｃｏｍｐａｃｔ  Ｄｉｓｃ−ＲＯＭ）１１９Ａが装着される外部記憶装置１１９と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００４３】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００４４】
操作パネル１６０は、ＭＦＰ１００の上面に設けられる。図３は、操作パネルの一例を示す平面図である。図３を参照して、操作パネル１６０は、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーを備え、キーに対応するユーザーの操作による各種の指示、文字、数字などのデータの入力を受け付ける。操作部１６３は、表示部１６１の表示面中の位置を検出するタッチパネル１６５をさらに含む。タッチパネル１６５は、表示部１６１の上面または下面に設けられ、ユーザーにより指示された位置の座標をＣＰＵ１１１に出力する。
【００４５】
図２に戻って、通信Ｉ／Ｆ部１１２は、ＭＦＰ１００をネットワーク３に接続するためのインターフェースである。ＣＰＵ１１１は、通信Ｉ／Ｆ部１１２を介してネットワーク３に接続された無線局５を介して、当該無線局５と無線接続された携帯情報装置２００，２００Ａ，２００Ｂ，２００Ｃ，２００Ｄとの間で通信し、データを送受信する。また、通信Ｉ／Ｆ部１１２は、ネットワーク３を介してインターネットに接続されたコンピューターと通信が可能である。
【００４６】
ファクシミリ部１１７は、公衆交換電話網（ＰＳＴＮ）に接続され、ファクシミリデータを送受信する。ファクシミリ部１１７は、原稿読取部１３０により読み取られた画像データまたはＨＤＤ１１６に記憶されたデータをファクシミリデータに変換して、ＰＳＴＮに接続されたファクシミリ装置に送信する。また、ファクシミリ部１１７は、受信されたファクシミリデータをＨＤＤ１１６に記憶するか、画像形成部１４０にファクシミリデータの画像を用紙に形成させる。
【００４７】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行することができる。なお、ＣＰＵ１１１が実行するプログラムは、ＣＤ−ＲＯＭ１１９Ａに記録されたプログラムに限られず、ＨＤＤ１１６に記憶されたプログラムをＲＡＭ１１４にロードして実行するようにしてもよい。この場合、ネットワークに接続された他のコンピューターが、ＭＦＰ１００のＨＤＤ１１６に記憶されたプログラムを書き換える、または、新たなプログラムを追加して書き込むようにしてもよい。さらに、ＭＦＰ１００が、ネットワークに接続された他のコンピューターからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４８】
携帯情報装置２００，２００Ａ，２００Ｂ，２００Ｃ，２００Ｄのハードウエア構成は同じなので、ここでは携帯情報装置２００を例に説明する。
【００４９】
図４は、携帯情報装置のハードウエア構成の一例を示すブロック図である。図４を参照して、携帯情報装置２００は、携帯情報装置２００の全体を制御する中央演算装置（ＣＰＵ）２１１と、ＣＰＵ２１１が実行するプログラム等を記憶するＲＯＭ２１３と、ＣＰＵ２１１の作業領域として用いられるＲＡＭ２１５と、データを不揮発的に記憶可能なＥＥＰＲＯＭ２１７と、画像を表示する液晶携帯情報装置（ＬＣＤ）２１９と、無線ＬＡＮインターフェース（Ｉ／Ｆ）２２１と、ユーザーの操作を受け付ける操作部２２３と、外部Ｉ／Ｆ２２５と、を含む。
【００５０】
ＲＯＭ２１３は、ＣＰＵ２１１が実行するプログラム、またはそのプログラムを実行するために必要なデータを記憶する。ＲＡＭ２１４は、ＣＰＵ２１１がプログラムを実行する際の作業領域として用いられる。ＥＥＰＲＯＭ２１７は、プログラムまたはデータ等を不揮発的に記憶する。
【００５１】
ＬＣＤ２１９は、携帯情報装置２００の上面に設けられ、ＣＰＵ２１１に制御されて、画像を表示する。操作部２２３は、複数のキーと、ＬＣＤ２１９の上面に設けられたタッチパネルを含む。タッチパネルは、ＬＣＤ２１９の表示面中でユーザーにより指示された位置を検出する。タッチパネルは、ＬＣＤ２１９の上面または下面に設けられ、ユーザーにより指示された位置の座標をＣＰＵ２１１に出力する。タッチパネルは、マルチタッチスクリーンパネルであり、同時に複数の位置がユーザーにより指示される場合、ユーザーにより指示された複数の位置にそれぞれ対応する複数の座標をＣＰＵ２１１に出力する。タッチパネルは、ＬＣＤ２１９の表示面と同じまたはそれ以上のサイズであるのが好ましい。ＬＣＤ２１９とタッチパネルとを組み合わせることにより、種々の操作を受け付けることが可能である。タッチパネルは、例えば、抵抗膜方式、表面弾性波方式、赤外線方式、電磁誘導方式、静電容量方式を用いることができ、その方式は限定されない。
【００５２】
無線ＬＡＮＩ／Ｆ２２１は、無線局５と通信し、携帯情報装置２００をネットワーク３に接続するためのインターフェースである。携帯情報装置２００は、無線ＬＡＮＩ／Ｆ２２１を介して、ＭＦＰ１００と通信することができ、データの送受信が可能である。
【００５３】
外部Ｉ／Ｆ２２５は、外部の装置と通信するためのインターフェースである。外部Ｉ／Ｆ２２５は、接続された外部の装置とシリアル通信する。外部Ｉ／Ｆ２２５にＣＤ−ＲＯＭドライバが接続される場合、ＣＰＵ２１１は、外部Ｉ／Ｆ２２５を介してＣＤ−ＲＯＭ２２５Ａにアクセス可能である。このため、ＣＰＵ２１１は、ＣＤ−ＲＯＭ２２５Ａに記録されたプログラムをＲＡＭ２１５にロードして実行することが可能である。
【００５４】
なお、ＣＰＵ２１１が実行するプログラムは、ＣＤ−ＲＯＭ２２５Ａに記録されたプログラムに限られず、ＥＥＰＲＯＭ２１７に記憶されたプログラムをＲＡＭ２１５にロードして実行するようにしても良い。この場合、ネットワーク３に接続された他のコンピューターが、携帯情報装置２００のＥＥＰＲＯＭ２１７に記憶されたプログラムを書き換える、または、新たなプログラムを追加して書き込むようにしてもよい。さらに、携帯情報装置２００が、ネットワーク３またはインターネットに接続された他のコンピューターからプログラムをダウンロードして、そのプログラムをＥＥＰＲＯＭ２１７に記憶するようにしてもよい。ここでいうプログラムは、ＣＰＵ２１１が直接実行可能なプログラムだけでなく、ソースプログラム、圧縮処理されたプログラム、暗号化されたプログラム等を含む。
【００５５】
図５は、ＭＦＰが備えるＣＰＵが有する機能の一例を示す図である。図５に示す機能は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶されたスレッド管理プログラムを実行することにより、ＣＰＵ１１１に形成される機能である。
【００５６】
図５を参照して、ＣＰＵ１１１は、会議に参加するユーザーを認証する認証部５１と、参加者情報を配信する参加者情報配信部５３と、データを取得するデータ取得部５５と、データを配信するデータ配信部５７と、スレッド生成要求受信部５９と、グループ情報生成部６１と、スレッド情報生成部６３と、作成元情報追加部６５と、スレッド情報を配信するスレッド情報配信部６９と、更新スレッド情報を受信する更新スレッド情報受信部６７と、を含む。
【００５７】
認証部５１は、携帯情報装置２００，２００Ａ，２００Ｂ，２００Ｃ，２００Ｄそれぞれを操作するユーザーを認証する。認証の方法は、種々の方法を用いることができる。例えば、認証部５１は、通信Ｉ／Ｆ部１１２が、携帯情報装置２００，２００Ａ，２００Ｂ，２００Ｃ，２００Ｄのいずれかからログイン要求を受信すると、ログイン要求を受け付ける。ここでは、携帯情報装置２００からログイン要求を受信する場合を例に説明する。認証部５１は、携帯情報装置２００からログイン要求を受信する場合、携帯情報装置２００に認証情報を要求し、携帯情報装置２００から受信される認証情報を用いて認証する。具体的には、認証情報の入力を求めるログイン画面を携帯情報装置２００に送信する。認証情報は、ここでは、ユーザーを識別するためのユーザー識別情報とパスワードとの組とする。携帯情報装置２００は、ログイン画面をＬＣＤ２１９に表示し、携帯情報装置２００を操作するユーザーが操作部２２３に入力する認証情報を受け付け、認証情報を返信するので、認証部５１は、通信Ｉ／Ｆ部１１２が携帯情報装置２００から受信する認証情報を取得する。
【００５８】
本実施の形態においては、会議に参加するユーザーの認証情報を含む参加者リストを予めＥＥＰＲＯＭ１１５に記憶している。認証部５１は、携帯情報装置２００から受信する認証情報と同じ認証情報が、参加者リストに含まれているか否かを判断する。認証部５１は、携帯情報装置２００から受信する認証情報と同じ認証情報が、参加者リストに含まれているならば、携帯情報装置２００を操作するユーザーを認証するが、そうでなければ認証しない。認証部５１は、携帯情報装置２００を操作するユーザーを認証する場合、携帯情報装置２００を操作するユーザーを識別するためのユーザー識別情報と、携帯情報装置２００を識別するための装置識別情報との組を含む参加者レコードを生成し、ＥＥＰＲＯＭ１１５に記憶するとともに、携帯情報装置２００を操作するユーザーのユーザー識別情報を、参加者情報配信部５３に出力する。装置識別情報は、ここでは、ネットワーク３において装置に割り当てられたネットワークアドレスを用いている。ネットワークアドレスは、ＩＰ（Ｉｎｔｅｒｎｅｔ  Ｐｒｏｔｏｃｏｌ）アドレスを用いることができる。
【００５９】
認証部５１は、携帯情報装置２００を操作するユーザーを認証した場合に、ＥＥＰＲＯＭ１１５に参加者レコードを記憶するが、携帯情報装置２００からログアウト指示を受信する場合、または、通信Ｉ／Ｆ部１１２が携帯情報装置２００と通信できなくなる場合、その参加者レコードをＥＥＰＲＯＭから消去する。すなわち、ＥＥＰＲＯＭ１１５には、認証されたユーザーがログインしている間、そのユーザーのユーザー識別情報を含む参加者レコードが記憶される。換言すれば、ＥＥＰＲＯＭ１１５に記憶される参加者レコードは、会議に参加しているユーザーのユーザー識別情報を含む参加者レコードのみであって、会議に参加していないユーザーのユーザー識別情報を含む参加者レコードはＥＥＰＲＯＭ１１５に記憶されない。認証部５１は、ユーザーを認証するごとに、認証されたユーザーのユーザー識別情報を、参加者情報配信部５３およびデータ配信部５７に出力する。
【００６０】
参加者情報配信部５３は、認証部５１から認証されたユーザーのユーザー識別情報が入力されることに応じて、参加者情報を配信する。配信先は、携帯情報装置２００，２００Ａ，２００Ｂ，２００Ｃ，２００Ｄのうち、会議に参加しているユーザーが操作する装置である。参加者情報配信部５３は、ＥＥＰＲＯＭ１１５に記憶されている参加者レコードを読み出し、参加者情報を生成し、配信先を決定する。具体的には、参加者情報配信部５３は、ＥＥＰＲＯＭ１１５に記憶されているすべての参加者レコードそれぞれに設定されているユーザー識別情報のすべてを参加者情報に決定する。さらに、参加者情報配信部５３は、ＥＥＰＲＯＭ１１５に記憶されているすべての参加者レコードそれぞれに設定されている装置識別情報で特定される装置のすべてを、送信先に決定する。参加者情報配信部５３は、通信Ｉ／Ｆ部１１２を介して、決定された参加者情報を、携帯情報装置２００，２００Ａ，２００Ｂ，２００Ｃ，２００Ｄのうち送信先に決定された装置それぞれに送信する。
【００６１】
データ取得部５５は、処理対象となるデータを取得する。処理対象となるデータは、ユーザーにより定められ、例えば、会議で用いられる資料のデータである。処理対象となるデータは、原稿読取部１３０が原稿を読み取って出力するデータであってもよいし、ＨＤＤ１１６またはＣＤ−ＲＯＭ１１９Ａに記憶されたデータであってもよいし、通信Ｉ／Ｆ部１１２が携帯情報装置２００，２００Ａ，２００Ｂ、２００Ｃ，２００Ｄ、または別のコンピューターから受信するデータであってもよい。例えば、あるユーザーが、操作パネル１６０を操作して、処理対象とするデータを原稿を原稿読取部１３０に読み取らせたデータを指定する場合、データ取得部５５は、原稿読取部１３０が原稿を読み取って出力するデータを、処理体操となるデータとして取得する。データ取得部５５は、取得されたデータをデータ配信部５７に出力する。
【００６２】
データ配信部５７は、データ取得部５５からデータが入力され、認証部５１からユーザー識別情報が入力される。データ配信部５７は、認証部５１からユーザー識別情報が入力されることに応じて、データ取得部５５から入力されるデータを、携帯情報装置２００，２００Ａ，２００Ｂ，２００Ｃ，２００Ｄのうち認証されたユーザーが操作する装置に通信Ｉ／Ｆ部１１２を介して送信する。認証部５１から入力されるユーザー識別情報は、認証部５１により認証されたユーザーのユーザー識別情報である。また、認証部５１は、ユーザーを認証するごとに、認証されたユーザーのユーザー識別情報を出力するので、会議に参加するユーザーが、例えば、携帯情報装置２００を操作する場合、そのユーザーは一度だけＭＦＰ１００にログインすれば、データを閲覧することができる。
【００６３】
以下の説明では、携帯情報装置２００，２００Ａ、２００Ｂ，２００Ｃ、２００Ｄそれぞれを操作するユーザーのすべてが認証部５１によって認証された場合を例に説明する。また、説明を容易にするため携帯情報装置２００，２００Ａ、２００Ｂ，２００Ｃ、２００Ｄそれぞれを操作するユーザーのユーザー識別情報を、「ユーザーＡ」、「ユーザーＢ」、「ユーザーＣ」、「ユーザーＤ」、「ユーザーＥ」とする。
【００６４】
スレッド生成要求受信部５９は、携帯情報装置２００，２００Ａ、２００Ｂ，２００Ｃ、２００Ｄのいずれかからスレッド生成要求を受信する。通信Ｉ／Ｆ部１１２が、携帯情報装置２００，２００Ａ、２００Ｂ，２００Ｃ、２００Ｄのいずれかからスレッド生成要求を受信したか否かを判断する。ここでは、通信Ｉ／Ｆ部１１２が、携帯情報装置２００からスレッド生成要求を受信した場合を例に説明する。スレッド生成要求受信部５９は、スレッド生成要求を受信すると、スレッド生成要求と、スレッド生成要求を送信してきた装置、ここでは携帯情報装置２００を識別するための装置識別情報と、をグループ情報生成部６１に出力するとともに、スレッド生成要求を送信してきた携帯情報装置２００の装置識別情報を作成元情報追加部６５に出力する。
【００６５】
スレッド生成要求についての詳細は後述するが、送信先情報と、コンテンツとを含む。送信先情報は、参加者情報に含まれる複数のユーザー識別情報のうちから携帯情報装置２００を操作するユーザーＡにより送信先に指定されたユーザーのユーザー識別情報を含む。ここでは、送信先情報にユーザー識別情報「ユーザーＢ」が含まれている場合を例に説明する。コンテンツは、ユーザーＡにより入力された描画または／および文字の画像であり、送信先であるユーザーＢに通知する情報である。
【００６６】
グループ情報生成部６１は、スレッド生成要求受信部５９からスレッド要求と、スレッド生成要求を送信してきた携帯情報装置２００の装置識別情報が入力される。グループ情報生成部６１は、スレッド生成要求に含まれる送信先情報と、装置識別情報とに基づいて、グループ情報を生成する。グループ情報は、１つのスレッドに対して１つが対応し、参加者情報に含まれる複数のユーザー識別情報のうち２以上を含む。グループ情報生成部６１は、スレッド生成要求受信部５９から入力される装置識別情報に基づいて、スレッド生成要求を送信してきた携帯情報装置２００を操作するユーザーを特定する。具体的には、グループ情報生成部６１は、スレッド生成要求受信部５９から入力される装置識別情報と同じ装置識別情報を含む参加者レコードをＥＥＰＲＯＭ１１５から読出し、読み出した参加者レコードに含まれるユーザー識別情報（ここでは「ユーザーＡ」）を取得する。そして、グループ情報生成部６１は、送信先情報に含まれるユーザー識別情報、ここでは「ユーザーＢ」と、参加者レコードによって携帯情報装置２００の装置識別情報に関連付けられたユーザー識別情報、ここでは「ユーザーＡ」との組を、グループ情報として生成する。グループ情報生成部６１は、生成されたグループ情報と、スレッド生成要求に含まれるコンテンツとをスレッド情報生成部６３に出力する。
【００６７】
スレッド情報生成部６３は、グループ情報生成部６１から入力されるグループ情報と、コンテンツとを含むスレッド情報を生成し、生成したスレッド情報を作成元情報追加部６５に出力する。
【００６８】
作成元情報追加部６５は、スレッド生成要求受信部５９からスレッド生成要求を送信してきた携帯情報装置２００の装置識別情報が入力され、スレッド情報生成部６３からスレッド情報が入力される。作成元情報追加部６５は、スレッド生成要求受信部５９から入力される装置識別情報に基づいて、スレッド生成要求を送信してきた携帯情報装置２００を操作するユーザーを特定する。具体的には、作成元情報追加部６５は、スレッド生成要求受信部５９から入力される装置識別情報と同じ装置識別情報を含む参加者レコードをＥＥＰＲＯＭ１１５から読出し、読み出した参加者レコードに含まれるユーザー識別情報（ここでは「ユーザーＡ」）を取得する。そして、作成元情報追加部６５は、取得されたユーザー識別情報「ユーザーＡ」を作成元情報に決定する。作成元情報追加部６５は、スレッド情報生成部６３から入力されるスレッド情報と、作成元情報とをスレッド情報配信部６９に出力する。
【００６９】
スレッド情報配信部６９は、スレッド情報と作成元情報と、を送信する。スレッド情報配信部６９は、スレッド情報に含まれるグループ情報に基づいて、携帯情報装置２００，２００Ａ，２００Ｂ，２００Ｃ，２００Ｄのうちから送信先の装置を特定する。具体的には、スレッド情報に含まれるグループ情報に含まれるユーザー識別情報を含む参加者レコードをＥＥＰＲＯＭ１１５から読出し、読み出された参加者レコードに含まれる装置識別情報を取得することにより、送信先の装置を決定する。ここでは、グループ情報に、ユーザー識別情報「ユーザーＡ」および「ユーザーＢ」を含むので、ユーザーＡが操作する携帯情報装置２００と、ユーザーＢが操作する携帯情報装置２００Ａとが、送信先の装置に決定される。スレッド情報配信部６９は、スレッド情報と作成元情報とを、通信Ｉ／Ｆ部１１２を介して、送信先に決定された携帯情報装置２００，２００Ａそれぞれに送信する。なお、送信先として決定された携帯情報装置２００は、作成元情報のユーザー識別情報「ユーザーＡ」が操作する装置なので、スレッド情報配信部６９は、スレッド情報と作成元情報とを、グループ情報に含まれるユーザー識別情報のうち作成元情報のユーザー識別情報以外のユーザー識別情報が操作する装置を送信先に決定するようにしてもよい。このため、スレッド生成要求を送信してきた携帯情報装置２００には、スレッド情報と送信元情報が送信されないようにすることができる。
【００７０】
更新スレッド情報受信部６７は、通信Ｉ／Ｆ部１１２を制御して、更新スレッド情報を受信する。後述するように、スレッド情報と作成元情報とを受信する携帯情報装置２００Ａが、更新スレッド情報を返信する場合がある。更新スレッド情報の詳細は、後述するが、グループ情報とコンテンツと、を含む。更新スレッド情報受信部６７は、更新スレッドと、更新スレッドを送信してきた装置、ここでは、携帯情報装置２００Ａの装置識別情報を、作成元情報追加部６５に出力する。
【００７１】
作成元情報追加部６５は、更新スレッド情報受信部６７から更新スレッド情報を送信してきた携帯情報装置２００Ａの装置識別情報が入力される場合、装置識別情報に基づいて、更新スレッド情報を送信してきた携帯情報装置２００Ａを操作するユーザーを特定する。具体的には、作成元情報追加部６５は、更新スレッド情報受信部６７から入力される装置識別情報と同じ装置識別情報を含む参加者レコードをＥＥＰＲＯＭ１１５から読出し、読み出した参加者レコードに含まれるユーザー識別情報（ここでは「ユーザーＢ」）を取得する。そして、作成元情報追加部６５は、取得されたユーザー識別情報「ユーザーＢ」を作成元情報に決定する。作成元情報追加部６５は、更新スレッド情報受信部６７から入力される更新スレッド情報を新たなスレッド情報とし、新たなスレッド情報と作成元情報とをスレッド情報配信部６９に出力する。
【００７２】
携帯情報装置２００，２００Ａ，２００Ｂ，２００Ｃ，２００Ｄそれぞれが備えるＣＰＵ２１１が有する機能は、同じである。ここでは、携帯情報装置２００が備えるＣＰＵ２１１が有する機能について説明する。
【００７３】
図６は、携帯情報装置が備えるＣＰＵが有する機能の一例を示す図である。図６に示す機能は、携帯情報装置２００が備えるＣＰＵ２１１が、ＥＥＰＲＯＭ２１７に記憶された閲覧プログラムを実行することにより、ＣＰＵ２１１に形成される機能である。
【００７４】
上述したように、ＭＦＰ１００は、携帯情報装置２００，２００Ａ，２００Ｂ，２００Ｃ，２００Ｄのいずれかにスレッド情報を配信するので、携帯情報装置２００，２００Ａ，２００Ｂ，２００Ｃ，２００Ｄのうち２以上の間でスレッド情報が送受信される。ここでは、スレッド情報を送受信する処理を説明するために、携帯情報装置２００が備えるＣＰＵ２１１の機能について説明するとともに、必要に応じて、携帯情報装置２００Ａが備えるＣＰＵＡの機能について説明する。この場合、携帯情報装置２００Ａが備えるＣＰＵに符号２１１Ａを付し、ＣＰＵ２１１Ａが備える機能には、携帯情報装置２００が備えるＣＰＵ２１１が有する機能と同じ機能には、ＣＰＵ２１１が有する機能に付した符号と同じ符号に添え字「Ａ」を追加した符号として示す。
【００７５】
図６を参照して、携帯情報装置２００が備えるＣＰＵ２１１は、ユーザー認証部２５０と、ＭＦＰ１００からデータを受信するデータ受信部２５１と、ＭＦＰ１００から参加者情報を受信する参加者情報受信部２５３と、ＬＣＤ２１９を制御する表示制御部２５５と、送信先決定部２５７と、コンテンツ決定部２５９と、生成要求送信部２６１と、描画検出部２６３と、編集情報検出部２６５と、スレッド情報受信部２６７と、コンテンツ更新部２６９と、グループ情報更新部２７１と、追加指示受付部２７３と、スレッド更新部２７５と、更新スレッド送信部２７７と、を含む。
【００７６】
ユーザー認証部２５０は、携帯情報装置２００を操作するユーザーの認証情報を受け付け、ＭＦＰ１００に認証を依頼する。具体的には、操作部２２３にＭＦＰ１００へのログインの要求を指示する操作が入力されると、無線ＬＡＮＩ／Ｆ２２１を制御して、ＭＦＰ１００にログイン要求を送信する。ＭＦＰ１００は、ログイン要求を受信すると、認証情報の入力を求めるログイン画面を返信するので、ユーザー認証部２５０は、無線ＬＡＮＩ／Ｆ２２１がＭＦＰ１００から受信するログイン画面を、ＬＣＤ２１９に表示する。そして、ユーザーがログイン画面に従って、操作部２２３に入力する認証情報を受け付け、無線ＬＡＮＩ／Ｆ２２１を制御して、ＭＦＰ１００に認証情報を送信する。認証情報は、ここでは、ユーザー識別情報とパスワードとの組である。ＭＦＰ１００は、認証情報を受信すると、認証結果を返信するので、ユーザー認証部２５０は、無線ＬＡＮＩ／Ｆ２２１がＭＦＰ１００から受信する認証結果を取得する。認証結果は、ログインを許可することを示す場合と、ログインを許可しないことを示す場合とがある。ユーザー認証部２５０は、ログインを許可することを示す認証結果を受信する場合、データ受信部２５１に、受信指示を出力する。ユーザー認証部２５０は、ログインを許可しないことを示す認証結果を受信する場合、ＬＣＤ２１９にエラーメッセージを表示し、ログインに失敗したことを、ユーザーに通知する。エラーメッセージは、例えば「ユーザー識別情報またはパスワードが誤っています。認証されませんでした。」等である。
【００７７】
データ受信部２５１は、無線ＬＡＮＩ／Ｆ２２１を制御して、ＭＦＰ１００が送信するデータを受信する。データ受信部２５１は、ユーザー認証部２５０から受信指示が入力された後に、ＭＦＰ１００から受信されるデータを、表示制御部２５５に出力する。
【００７８】
参加者情報受信部２５３は、無線ＬＡＮＩ／Ｆ２２１を制御して、ＭＦＰ１００が送信する参加者情報を受信する。参加者情報受信部２５３は、ＭＦＰ１００から受信される参加者情報を、表示制御部２５５、送信先決定部２５７および追加指示受付部２７３に出力する。
【００７９】
表示制御部２５５は、表示の対象となる画像を複数のレイヤーごとに管理し、ＬＣＤ２１９に複数のレイヤーの画像を重畳して表示する。表示制御部２５５は、データ表示部２８１と、参加者表示部２８３と、関連付表示部２８５と、コンテンツ表示部２８７と、編集情報表示部２８９と、を含む。データ表示部２８１と、参加者表示部２８３と、関連付表示部２８５と、コンテンツ表示部２８７と、編集情報表示部２８９とは、複数のレイヤーのうち対応するレイヤーの画像を生成し、ＬＣＤ２１９に表示する。コンテンツ表示部２８７は、複数のレイヤーの画像を生成する場合があり、この場合には、複数のレイヤーごとに画像を、ＬＣＤ２１９に表示する。
【００８０】
データ表示部２８１は、データ受信部２５１から入力されるデータを、ＬＣＤ２１９に表示する。これにより、携帯情報装置２００を操作するユーザーは、データの画像を閲覧することができる。例えば、データ受信部２５１から入力されるデータが会議の配布資料に該当する場合、会議の配布資料をＬＣＤ２１９で閲覧することができる。なお、データが複数ページからなる場合、データ表示部２８１は、携帯情報装置２００を操作するユーザーが操作部２２３に入力するページ指示を受け付け、受け付けられたページ指示により特定されるページの画像を表示部２１９に表示する。このため、携帯情報装置２００を操作するユーザーは、例えば、会議の進行に合わせて該当ページの画像を閲覧することができる。
【００８１】
参加者表示部２８３は、参加者情報受信部２５３から入力される参加者情報を、ＬＣＤ２１９に表示する。参加者表示部２８３は、参加者情報受信部２５３から参加者情報が入力されるごとに、ＬＣＤ２１９に表示された参加者情報を更新する。参加者情報は、ＭＦＰ１００にログインしているユーザー、換言すれば、会議に参加しているユーザーのユーザー識別情報を含む。このため、携帯情報装置２００を操作するユーザーは、ＬＣＤ２１９に表示された参加者情報に基づいて、その時点で会議に参加しているユーザーを確認することができる。参加者表示部２８３は、ＬＣＤ２１９に表示されたユーザー識別情報それぞれのＬＣＤ２１９の表示面中の位置を示す位置情報を関連付表示部２８５に出力する。
【００８２】
関連付表示部２８５、コンテンツ表示部２８７および編集情報表示部２８９については、後述する。
【００８３】
描画検出部２６３は、操作部２２３が備えるタッチパネルから入力される位置情報に基づいて、描画を検出する。具体的には、位置情報で示される位置の画素の画素値を「１」とし、他の画素の画素値を「０」とする手書き画像を生成する。タッチパネルから複数の位置情報が入力される場合は、複数の位置情報それぞれで示される位置の画素の画素値を「１」とする。描画検出部２６３は、生成された手書き画像を、描画とし、描画を編集情報検出部２６５に出力する。
【００８４】
編集情報検出部２６５は、描画検出部２６３から描画が入力されると、描画を編集情報として検出する。また、編集情報検出部２６５は、携帯情報装置２００を操作するユーザーが操作部２２３の備えるキーを用いて、文字を入力すれば、入力されたる文字を編集情報として検出する。操作部２２３が備えるキーは、ＬＣＤ２１９に表示されたキーボードを含む。編集情報検出部２６５は、タッチパネルにより検出された位置に基づいてキーボードのいずれのキーがタッチされたかを検出し、入力された文字を決定する。編集情報検出部２６５は、編集情報を、編集情報表示部２８９、コンテンツ決定部２５９およびコンテンツ更新部２６９に出力する。
【００８５】
編集情報検出部２６５は、編集情報検出部２６５から編集情報が入力されると、編集情報をＬＣＤ２１９に表示する。ＬＣＤ２１９には、データ表示部２８１にデータの画像が表示されているので、編集情報表示部２８９は、データの画像に重畳して編集情報を表示する。具体的には、編集情報表示部２８９は、編集情報の画像を含むレイヤーを生成し、データ表示部２８１が表示したレイヤーの画像に、編集情報表示部２８９が生成したレイヤーの画像を、重畳して表示する。編集情報検出部２６５が、描画検出部２６３から入力される描画を編集情報として検出する場合、ユーザーが手書きで入力した文字または図形が、編集情報としてＬＣＤ２１９に表示される。このため、ユーザーは、手書きで入力した文字または図形を確認することができる。また、編集情報検出部２６５が、操作部２２３が備えるキーまたはマウスを用いて入力された文字または図形の画像を編集情報として検出する場合、ユーザーが操作部２２３に入力した文字または図形の画像が編集情報としてＬＣＤ２１９に表示される。このため、ユーザーは、操作部２２３が備えるキーまたはマウスを用いて入力した文字または図形を確認することができる。
【００８６】
コンテンツ決定部２５９は、編集情報検出部２６５から編集情報が入力され、編集情報の少なくとも一部をコンテンツとして決定する。コンテンツは、携帯情報装置２００を操作するユーザーが、他のユーザーに通知する情報である。コンテンツ決定部２５９は、コンテンツ指定受付部２９３を含む。コンテンツ指定受付部２９３は、編集情報検出部２６５から入力される編集情報のうちからコンテンツを指定する操作を受け付ける。コンテンツを指定する操作は、携帯情報装置２００を操作するユーザーが、編集情報の少なくとも一部を、コンテンツとして指定する操作である。コンテンツ指定受付部２９３は、編集情報検出部２６５から入力される編集情報が、描画検出２６３により検出された描画であって、当該描画が所定領域を囲む図形を示すか否かを判断する。コンテンツ指定受付部２９３は、編集情報が所定領域を囲む図形の場合、それまでに編集情報検出部２６５から入力された編集情報のうち所定領域に含まれる部分をコンテンツに決定する。コンテンツ決定部２５９は、コンテンツ指定受付部２９３によって決定されたコンテンツを、生成要求送信部２６１に出力する。
【００８７】
送信先決定部２５７は、参加者情報受信部２５３から参加者情報が入力され、参加者情報に含まれる複数のユーザー識別情報のうちから１以上のユーザー識別情報を送信先情報に決定する。送信先決定部２５７は、送信先指定受付部２９１を含む。
【００８８】
送信先指定受付部２９１は、参加者表示部２８３によってＬＣＤ２１９に表示された参加者情報のうちから１以上のユーザー識別情報を送信先に指定する操作を受け付ける。参加者情報のうちから１以上のユーザー識別情報を送信先に指定する操作は、携帯情報装置２００を操作するユーザーが、後述するコンテンツを送信する送信先のユーザーを指定する操作である。
【００８９】
送信先指定受付部２９１は、操作部２２３が備えるタッチパネルから入力される位置情報に基づいて、ＬＣＤ２１９に表示された参加者情報に含まれる１以上のユーザー識別情報のいずれが指示されたかを検出する。送信先決定部２５７は、送信先指定受付部２９１により受け付けられた操作によって、指示されたユーザー識別情報のすべてを送信先情報に決定する。送信先決定部２５７は、送信先情報を生成要求送信部２６１に出力する。
【００９０】
生成要求送信部２６１は、送信先決定部２５７から送信先情報が入力され、コンテンツ決定部２５９からコンテンツが入力される。生成要求送信部２６１は、コンテンツと送信先情報とを含むスレッド生成要求を、無線ＬＡＮＩ／Ｆ２２１を介して、ＭＦＰ１００に送信する。
【００９１】
スレッド情報受信部２６７は、無線ＬＡＮＩ／Ｆ２２１を制御し、ＭＦＰ１００が送信するスレッド情報と作成元情報と、を受信する。スレッド情報は、グループ情報と、コンテンツとを含む。スレッド情報受信部２６７は、スレッド情報を受信することに応じて、スレッド情報に含まれるコンテンツを、コンテンツ表示部２８７およびコンテンツ更新部２６９に出力し、スレッド情報に含まれるグループ情報をグループ情報更新部２７１に出力し、スレッド情報とともに受信される作成元情報を関連付表示部２８５に出力する。
【００９２】
コンテンツ表示部２８７は、スレッド情報受信部２６７からコンテンツが入力されると、コンテンツの画像を含むレイヤーを生成し、コンテンツの画像をＬＣＤ２１９に表示するとともに、コンテンツの画像のＬＣＤ２１９の表示面中の位置を示す位置情報を関連付表示部２８５に出力する。ＬＣＤ２１９に、データ表示部２８１によってデータの画像が表示されている場合、データの画像に重畳してコンテンツの画像を表示する。換言すれば、データ表示部２８１により表示されるデータの画像を含むレイヤーよりも、コンテンツの画像を含むレイヤーを優先して表示する。これにより、コンテンツの画像が、データの画像よりも優先して表示されるので、携帯情報装置２００を操作するユーザーＡは、コンテンツの画像がデータの画像と重なる場合であってもコンテンツを確認することができる。
【００９３】
関連付表示部２８５は、参加者表示部２８３から参加者情報に含まれる複数のユーザー識別情報それぞれの位置を示す位置情報が入力され、コンテンツ表示部２８７からコンテンツの画像の位置を示す位置情報が入力され、スレッド情報受信部２６７から作成元情報が入力される。関連付表示部２８５は、参加者表示部２８３により表示された複数のユーザー識別情報のうちから作成元情報と同じユーザー識別情報を、コンテンツの画像と関連付ける。例えば、参加者表示部２８３により表示された複数のユーザー識別情報のうち作成元情報と同じユーザー識別情報を、コンテンツの画像とを結ぶ線をＬＣＤ２１９に表示する。作成元情報と同じユーザー識別情報の位置情報と、コンテンツの画像の位置情報から線の始点と終点とを決定し、始点と終点とを結ぶ線をＬＣＤ２１９に表示する。また、参加者表示部２８３により表示された複数のユーザー識別情報のうち作成元情報と同じユーザー識別情報と、コンテンツの画像とを、同じ色で表示してもよいし、背景部分を同じ色で表示してもよいし、それらをそれぞれ囲む同じ色の線をＬＣＤ２１９に表示するようにしてもよい。これにより、携帯情報装置２００を操作するユーザーＡは、ＬＣＤ２１９に表示されたコンテンツを送信してきたユーザーを知ることができる。
【００９４】
コンテンツ更新部２６９は、スレッド情報受信部２６７からコンテンツが入力され、編集情報検出部２６５から編集情報が入力される。コンテンツ更新部２６９は、スレッド情報受信部２６７からコンテンツが入力された後に、編集情報検出部２６５から入力される編集情報を、コンテンツに追加することによって、コンテンツを更新する。コンテンツ更新部２６９は、更新されたコンテンツを、スレッド更新部２７５に出力する。
【００９５】
コンテンツ更新部２６９は、スレッド情報受信部２６７からコンテンツが入力された後、編集情報検出部２６５から編集情報が入力される場合、コンテンツ決定部２５９によって編集情報が新たなコンテンツに決定される場合、コンテンツ決定部２５９によって新たなコンテンツに決定された編集情報を、コンテンツに追加しない。コンテンツ決定部２５９によって編集情報が新たなコンテンツに決定される場合は、別のスレッドが生成されるからである。
【００９６】
より具体的に説明すると、コンテンツ更新部２６９は、スレッド情報受信部２６７から第１のコンテンツが入力された後、編集情報検出部２６５から編集情報が入力される場合において、コンテンツ決定部２５９によって編集情報が第２のコンテンツに決定される場合、コンテンツ決定部２５９によって第２のコンテンツに決定された編集情報を、第１のコンテンツに追加しないが、コンテンツ決定部２５９によって第２のコンテンツに決定されない編集情報を、第１のコンテンツに追加することによって第１のコンテンツを更新する。コンテンツ表示部２８７は、第１のコンテンツの画像と、第２のコンテンツの画像とを、異なるレイヤーの画像として管理する。
【００９７】
追加指示受付部２７３は、参加者情報受信部２５３から参加者情報が入力され、参加者情報に含まれる複数のユーザー識別情報のうちから１以上のユーザー識別情報を送信先情報に追加する指示を受け付ける。追加指示受付部２７３は、参加者表示部２８３によってＬＣＤ２１９に表示された参加者情報のうちから１以上のユーザー識別情報を指定する操作を受け付ける。参加者情報のうちから１以上のユーザー識別情報を指定する操作は、携帯情報装置２００を操作するユーザーＡが、後述するコンテンツを送信する送信先のユーザーとして追加する操作である。追加指示受付部２７３は、操作部２２３が備えるタッチパネルの位置に基づいて、ＬＣＤ２１９に表示された参加者情報に含まれる１以上のユーザー識別情報のいずれが指示されたかを検出する。追加指示受付部２７３は、指示されたユーザー識別情報をグループ情報更新部２７１に出力する。
【００９８】
グループ情報更新部２７１は、スレッド情報受信部２６７からグループ情報が入力され、追加指示受付部２７３からユーザー識別情報が入力される。グループ情報更新部２７１は、グループ情報に、追加指示受付部２７３から入力されるユーザー識別情報を追加することによって、グループ情報を更新する。グループ情報更新部２７１は、更新されたグループ情報を、スレッド更新部２７５に出力する。
【００９９】
スレッド更新部２７５は、スレッド情報受信部２６７により受信されたスレッドを更新した更新スレッドを生成する。具体的には、コンテンツ更新部２６９から入力されるコンテンツと、グループ情報更新部２７１から入力されるグループ情報とを含む更新スレッドを生成する。スレッド更新部２７５は、生成された更新スレッドを、更新スレッド送信部２７７に出力する。
【０１００】
更新スレッド送信部２７７は、スレッド更新部２７５から更新スレッドが入力されることに応じて、更新スレッドを、無線ＬＡＮＩ／Ｆ２２１を介して、ＭＦＰ１００に送信する。
【０１０１】
図７は、閲覧処理の流れの一例を示すフローチャートである。閲覧処理は、携帯情報装置２００が備えるＣＰＵ２１１が、ＥＥＰＲＯＭ２１７に記憶された閲覧プログラムを実行することにより、ＣＰＵ２１１により実行される処理である。図７を参照して、ＣＰＵ２１１は、ログイン要求を受け付けたか否かを判断する（ステップＳ０１）。操作部２２３にＭＦＰ１００へのログインの要求を指示する操作が入力されると、ログイン要求を受け付ける。ログイン要求を受け付けるまで待機状態となり（ステップＳ０１でＮＯ）、ログイン要求を受け付けたならば（ステップＳ０１でＹＥＳ）、無線ＬＡＮＩ／Ｆ２２１を制御して、ＭＦＰ１００にログイン要求を送信し、処理をステップＳ０２に進める。ＭＦＰ１００は、ログイン要求を受信すると、認証情報の入力を求めるログイン画面を返信するので、無線ＬＡＮＩ／Ｆ２２１がＭＦＰ１００から受信するログイン画面を、ＬＣＤ２１９に表示する。
【０１０２】
次のステップＳ０２においては、認証情報を受け付ける。ユーザーがログイン画面に従って、操作部２２３に入力する認証情報を受け付ける。そして、無線ＬＡＮＩ／Ｆ２２１を制御して、ＭＦＰ１００に認証情報を送信する（ステップＳ０３）。認証情報は、ここでは、ユーザー識別情報とパスワードとの組としている。ＭＦＰ１００は、認証情報を受信すると、認証結果を返信するので、次のステップＳ０４においては、無線ＬＡＮＩ／Ｆ２２１がＭＦＰ１００から受信する認証結果に基づいて認証に成功したか否かを判断する。認証結果は、ログインを許可することを示す場合と、ログインを許可しないことを示す場合とがある。認証結果が、ログインを許可することを示すならば処理をステップＳ０５に進めるが、そうでなく認証結果がログインを許可しないことを示すならば処理をステップＳ３１に進める。ステップＳ３３においてはエラー処理を実行し、処理を終了する。エラー処理は、ログインに失敗したことを、ユーザーに通知する処理であり、例えば、ＬＣＤ２１９に「ユーザー識別情報またはパスワードが誤っています。認証されませんでした。」等のエラーメッセージを表示する処理である。
【０１０３】
ステップＳ０５においては、参加者情報を受信したか否かを判断する。無線ＬＡＮＩ／Ｆ２２１が、ＭＦＰ１００から参加者情報を受信するまで待機情報となり、参加者情報を受信したならば処理をステップＳ０６に進める。ステップＳ０６においては、受信された参加者情報を、ＬＣＤ２１９に表示する。参加者情報は、会議に参加しているユーザーのユーザー識別情報を含む。このため、携帯情報装置２００を操作するユーザーは、ＬＣＤ２１９に表示された参加者情報に基づいて、その時点で会議に参加しているユーザーを確認することができる。
【０１０４】
ステップＳ０７においては、データを受信したか否かを判断する。無線ＬＡＮＩ／Ｆ２２１が、ＭＦＰ１００からデータを受信するまで待機情報となり、データを受信したならば処理をステップＳ０８に進める。ステップＳ０８においては、受信されたデータの画像を、ＬＣＤ２１９に表示する。これにより、携帯情報装置２００を操作するユーザーは、データの画像を閲覧することができる。例えば、ＭＦＰ１００から受信されるデータが会議の配布資料に該当する場合、会議の配布資料をＬＣＤ２１９で閲覧することができる。
【０１０５】
次のステップＳ０９においては、描画を検出したか否かを判断する。操作部２２３が備えるタッチパネルから入力される位置情報に基づいて、描画を検出する。描画を検出したならば処理をステップＳ１１に進め、そうでなければ処理をステップＳ１０に進める。ステップＳ１０においては、文字が入力されたか否かを判断する。操作部２２３が備えるキーが指示される場合、文字が入力されたと判断する。文字が入力されたならば処理をステップＳ１１に進めるが、そうでなければ処理をステップＳ１２に進める。ステップＳ１１においては、ステップＳ０９において検出された描画、またはステップＳ１０において入力された文字を編集情報に設定し、処理をステップＳ１２に進める。
【０１０６】
ステップＳ１２においては、領域が指定されたか否かを判断する。ステップＳ１１において設定された編集情報が、ステップＳ０９において検出された描画であって、当該描画が所定領域を囲む図形を示すならば、所定領域が指定されたと判断する。領域が指定されたならば処理をステップＳ１３に進めるが、そうでなければ処理をステップＳ１８に進める。
【０１０７】
ステップＳ１３においては、コンテンツを決定し、処理をステップＳ１４に進める。ステップＳ１１において設定された編集情報のうち、ステップＳ１２において指定された領域に含まれる部分をコンテンツに決定する。ステップＳ１４においては、送信先が指定されたか否かを判断する。ステップＳ０６において、ＬＣＤ２１９に表示された参加者情報のうちから１以上のユーザー識別情報が指示されたならば、送信先が指定されたと判断する。操作部２２３が備えるタッチパネルにより出力される位置情報に基づいて、ＬＣＤ２１９に表示された参加者情報に含まれる１以上のユーザー識別情報のいずれが指示されたかを検出する。次のステップＳ１５においては、ステップＳ１４において指示されたユーザー識別情報を送信先情報に設定し、処理をステップＳ１６に進める。ステップＳ１６においては、送信先の指定が終了したか否かを判断する。操作部２２３が備える所定のキーが指示されたならば送信先の指定が終了したと判断する。送信先の指定が終了したならば処理をステップＳ１７に進めるが、そうでなければ処理をステップＳ１４に戻す。
【０１０８】
ステップＳ１７においては、無線ＬＡＮＩ／Ｆ２２１を介してＭＦＰ１００にスレッド生成要求を送信し、処理をステップＳ１８に進める。スレッド生成要求は、ステップＳ１４において設定された送信先情報と、ステップＳ１３において決定されたコンテンツとを含む。
【０１０９】
ステップＳ１８においては、スレッド情報を受信したか否かを判断する。無線ＬＡＮＩ／Ｆ２２１がＭＦＰ１００からスレッド情報を受信したならば処理をステップＳ１９に進めるが、そうでなければ処理をステップＳ３３に進める。ステップＳ１９においては、受信されたスレッド情報に含まれるコンテンツを、ＬＣＤ２１９に表示し、処理をステップＳ２０に進める。ステップＳ２０においては、作成元ユーザーを特定する。スレッド情報とともに受信される作成元情報で特定されるユーザーを作成元ユーザーに特定する。そして、作成元ユーザーとコンテンツとを関連付けて表示する（ステップＳ２１）。ステップＳ０６においてＬＣＤ２１９に表示された参加者情報に含まれる複数のユーザー識別情報のうち、作成元ユーザーのユーザ識別情報と同じユーザー識別情報を、ステップＳ１８においてＬＣＤ２１９に表示されたコンテンツの画像と関連付けて表示する。例えば、作成元情報と同じユーザー識別情報と、コンテンツの画像とを結ぶ線をＬＣＤ２１９に表示する。これにより、携帯情報装置２００を操作するユーザーは、ＬＣＤ２１９に表示されたコンテンツを送信してきたユーザーを知ることができる。
【０１１０】
ステップＳ２２〜ステップＳ２５の処理は、ステップＳ０９〜ステップＳ１２の処理とそれぞれ同じである。したがって、ここでは説明を繰り返さない。ステップＳ２５において、領域が指定されたと判断される場合、処理をステップＳ１３に戻すが、そうでなければ処理をステップＳ２６に進める。処理がステップＳ１３に戻る場合、ステップＳ２４において指定された領域に含まれる編集情報を、ステップＳ１３において新たなコンテンツに設定し、その新たなコンテンツを含む新たなスレッド生成要求をＭＦＰ１００に送信する（ステップＳ１７）。
【０１１１】
処理がステップＳ２６に進む場合、ステップＳ２４において設定された編集情報を用いて、コンテンツを更新する。具体的には、ステップＳ１９において受信されたスレッド情報に含まれるコンテンツに、編集情報を追加することによって、コンテンツを更新する。ステップＳ２７においては、ステップＳ１３と同様に、送信先の指定を受け付けたならば処理をステップＳ２８に進めるが、そうでなければ処理をステップＳ２９に進める。ステップＳ２８においては、ステップＳ２７において指定された送信先のユーザー識別情報を用いて、グループ情報を更新する。具体的には、ステップＳ１８において受信されたスレッド情報に含まれるグループ情報に、ステップＳ２７において指示されたユーザー識別情報を追加することによって、グループ情報を更新する。
【０１１２】
ステップＳ２９においては、送信先の指定が終了したか否かを判断する。送信先の指定が終了したならば処理をステップＳ３０に進めるが、そうでなければ処理をステップＳ２７に戻す。
【０１１３】
ステップＳ３０においては、スレッド情報を更新する。ステップＳ１８において受信されたスレッド情報を、ステップＳ２６において更新されたコンテンツと、ステップＳ２８において更新されたグループ情報を含むスレッド情報に更新する。更新されたスレッド情報を、更新スレッド情報という。次のステップＳ３１においては、無線ＬＡＮＩ／Ｆ２２１を介してＭＦＰ１００に、更新スレッド情報を送信し、処理をステップＳ３２に進める。
【０１１４】
ステップＳ３２においては、終了指示を受け付けたか否かを判断する。操作部２２３が備える予め定められたキーが指示されたならば終了指示を受け付ける。終了指示を受け付けたならば処理を終了し、そうでなければ処理をステップＳ０９に戻す。
【０１１５】
図８は、スレッド管理処理の流れの一例を示すフローチャートである。スレッド管理処理は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶されたスレッド管理プログラムを実行することにより、ＣＰＵ１１１により実行される処理である。図８を参照して、ＣＰＵ１１１は、ログイン要求を受信したか否かを判断する（ステップＳ５１）。通信Ｉ／Ｆ部１１２が、携帯情報装置２００，２００Ａ，２００Ｂ，２００Ｃ，２００Ｄのいずれかからログイン要求を受信したか否かを判断する。ログイン要求を受信したならば処理をステップＳ５２に進めるが、ログイン要求を受信しなければ処理をステップＳ５７に進める。ここでは、携帯情報装置２００からログイン要求を受信する場合を例に説明する。携帯情報装置２００からログイン要求を受信する場合、認証情報の入力を求めるログイン画面を携帯情報装置２００に送信する。
【０１１６】
ログイン画面を受信する携帯情報装置２００は、認証情報を返信するので、ステップＳ５２においては、通信Ｉ／Ｆ部１１２が携帯情報装置２００から認証情報を受信するまで待機状態となり（ステップＳ５２でＮＯ）、認証情報を受信したならば（ステップＳ５２でＹＥＳ）、処理をステップＳ５３に進める。
【０１１７】
ステップＳ５３において、ステップＳ５２において受信された認証情報に基づいて認証する。具体的には、ＥＥＰＲＯＭ１１５に予め記憶された参加者リストを参照して、ステップＳ５２において受信された認証情報と同じ認証情報が、参加者リストに含まれているか否かを判断する。受信された認証情報が参加者リストに含まれていれば、認証成功を示す認証結果を携帯情報装置２００に送信する。一方、受信された認証情報が参加者リストに含まれていなければ、処理をステップＳ６８に進める。ステップＳ６８において、認証失敗を示す認証結果を携帯情報装置２００に送信し、処理をステップＳ５７に進める。
【０１１８】
ステップＳ５４においては、参加者レコードを生成し、ＥＥＰＲＯＭ１１５に参加者レコードを記憶する。参加者レコードは、ステップＳ５２において受信された認証情報に含まれるユーザー識別情報と、ステップＳ５１において受信されたログイン要求を送信してきた携帯情報装置２００の装置識別情報との組を含む。装置識別情報は、ＩＰアドレスとしている。
【０１１９】
次のステップＳ５５においては、参加者情報を配信する。参加者情報は、ＥＥＰＲＯＭ１１５に記憶されているすべての参加者レコードそれぞれに設定されているユーザー識別情報のすべてを含む。配信先は、携帯情報装置２００，２００Ａ，２００Ｂ，２００Ｃ，２００Ｄのうち、ＥＥＰＲＯＭ１１５に記憶されているすべての参加者レコードそれぞれに設定されている装置識別情報で特定される装置のすべてである。これにより、ステップＳ５１において受信されたログイン要求を送信してきた携帯情報装置２００を含み、それ以前にログインに成功した装置のすべてに、現在会議に参加しているすべてのユーザーのユーザー識別情報を含む参加者情報が配信される。このため、会議の参加者は、他の参加者のユーザー識別情報を知ることができる。
【０１２０】
次に、ステップＳ５１において受信されたログイン要求を送信してきた携帯情報装置２００にデータを送信する（ステップＳ５６）。送信の対象となるデータは、会議の発表者などの予め定められたユーザーにより定められ、例えば、会議で用いられる資料のデータである。
【０１２１】
次のステップＳ５７においては、通信Ｉ／Ｆ部１１２が、携帯情報装置２００，２００Ａ、２００Ｂ，２００Ｃ、２００Ｄのいずれかからスレッド生成要求を受信したか否かを判断する。携帯情報装置２００，２００Ａ、２００Ｂ，２００Ｃ、２００Ｄのいずれかであって、ステップＳ５３において認証に成功したユーザーが操作する装置のいずれかからスレッド生成要求を受信したならば、処理をステップＳ５８に進めるが、そうでなければ処理をステップＳ６２に進める。ここでは、通信Ｉ／Ｆ部１１２が、携帯情報装置２００からスレッド生成要求を受信した場合を例に説明する。
【０１２２】
ステップＳ５８においては、作成元情報を生成する。ステップＳ５７において受信されたスレッド生成要求を送信してきた装置、ここでは携帯情報装置２００を操作するユーザーのユーザー識別情報を作成元情報に設定する。具体的には、ステップＳ５７において受信されたスレッド生成要求を送信してきた携帯情報装置２００の装置識別情報と同じ装置識別情報を含む参加者レコードをＥＥＰＲＯＭ１１５から読出し、読み出した参加者レコードに含まれるユーザー識別情報を、作成元情報に設定する。ここでは、携帯情報装置２００を操作するユーザーのユーザー識別情報を「ユーザーＡ」とする。
【０１２３】
次のステップＳ５９においては、グループ情報を生成する。スレッド生成要求に含まれる送信先情報と、ステップＳ５８において生成された送信元情報に基づきグループ情報を生成する。グループ情報は、送信先情報に含まれるユーザー識別情報と、送信元情報に設定されているユーザー識別情報とを含む。そして、スレッド情報を生成する（ステップＳ６０）。ステップＳ５９において生成されたグループ情報と、ステップＳ５７において受信されたスレッド生成要求に含まれるコンテンツとを含むスレッド情報を生成する。
【０１２４】
次のステップＳ６１においては、スレッド情報と作成元情報とを配信し、処理をステップＳ６２に進める。ステップＳ６０において生成されたスレッド情報に含まれるグループ情報に含まれるユーザー識別情報を含む参加者レコードをＥＥＰＲＯＭ１１５から読出し、読み出された参加者レコードに含まれる装置識別情報を取得することにより、送信先の装置を決定する。ここでは、携帯情報装置２００，２００Ａが送信先の装置に決定された場合を例に説明する。そして、スレッド情報と作成元情報とを、通信Ｉ／Ｆ部１１２を介して、送信先に決定された携帯情報装置２００，２００Ａそれぞれに送信する。なお、送信先として決定された携帯情報装置２００は、作成元情報のユーザー識別情報「ユーザーＡ」が操作する装置なので、スレッド情報配信部６９は、スレッド情報と作成元情報とを、グループ情報に含まれるユーザー識別情報のうち作成元情報のユーザー識別情報以外のユーザー識別情報が操作する装置を送信先に決定するようにしてもよい。このため、スレッド生成要求を送信してきた携帯情報装置２００には、スレッド情報と送信元情報が送信されないようにすることができる。
【０１２５】
ステップＳ６２においては、通信Ｉ／Ｆ部１１２が、携帯情報装置２００，２００Ａ、２００Ｂ，２００Ｃ、２００Ｄのいずれかから更新スレッド情報を受信したか否かを判断する。携帯情報装置２００，２００Ａ、２００Ｂ，２００Ｃ、２００Ｄのいずれかであって、ステップＳ６１においてスレッド情報を送信した装置のいずれかから更新スレッド情報を受信したならば、処理をステップＳ６３に進めるが、そうでなければ処理をステップＳ６５に進める。ここでは、通信Ｉ／Ｆ部１１２が、携帯情報装置２００Ａから更新スレッド情報を受信した場合を例に説明する。
【０１２６】
ステップＳ６３においては、作成元情報を生成する。ステップＳ６２において受信された更新スレッド情報を送信してきた装置、ここでは携帯情報装置２００Ａを操作するユーザーのユーザー識別情報を作成元情報に設定する。具体的には、ステップＳ６２において受信された更新スレッド情報を送信してきた携帯情報装置２００Ａの装置識別情報と同じ装置識別情報を含む参加者レコードをＥＥＰＲＯＭ１１５から読出し、読み出した参加者レコードに含まれるユーザー識別情報を、作成元情報に設定する。ここでは、携帯情報装置２００Ａを操作するユーザーのユーザー識別情報を「ユーザーＢ」とする。
【０１２７】
次のステップＳ６４においては、更新スレッド情報と作成元情報とを配信し、処理をステップＳ６５に進める。ステップＳ６２において受信された更新スレッド情報に含まれるグループ情報に含まれるユーザー識別情報を含む参加者レコードをＥＥＰＲＯＭ１１５から読出し、読み出された参加者レコードに含まれる装置識別情報を取得することにより、送信先の装置を決定する。ここでは、携帯情報装置２００，２００Ａが送信先の装置に決定された場合を例に説明する。そして、ステップＳ６２において受信された更新スレッド情報とステップＳ６３において生成された作成元情報とを、通信Ｉ／Ｆ部１１２を介して、送信先に決定された携帯情報装置２００，２００Ａそれぞれに送信する。なお、送信先として決定された携帯情報装置２００Ａは、作成元情報のユーザー識別情報「ユーザーＢ」が操作する装置なので、更新スレッド情報と作成元情報とを、グループ情報に含まれるユーザー識別情報のうち作成元情報のユーザー識別情報以外のユーザー識別情報が操作する装置を送信先に決定するようにしてもよい。このため、更新スレッド情報を送信してきた携帯情報装置２００Ａには、更新スレッド情報と送信元情報とが送信されないようにすることができる。
【０１２８】
ステップＳ６５においては、ログアウトする装置が存在するか否かを判断する。携帯情報装置２００，２００Ａ、２００Ｂ，２００Ｃ、２００Ｄのいずれかであって、ステップＳ５３において認証に成功したユーザーが操作する装置から、ログアウト指示を通信Ｉ／Ｆ部１１２が受信したならば、ログアウト指示を送信してきた装置をログアウトする装置とする。ログアウトする装置が存在するならば処理をステップＳ６６に進めるが、そうでなければ処理をステップＳ５１に戻す。
【０１２９】
ステップＳ６５においては、ログアウトする装置の装置識別情報を含む参加者レコードをＥＥＰＲＯＭ１１５から消去する。次のステップＳ６７においては、参加者が存在するか否かを判断する。ＥＥＰＲＯＭ１１５に１つでも参加者レコードが記憶されていれば参加者が存在すると判断するが、１つも記憶されていなければ参加者が存在しないと判断する。参加者が存在するならば処理をステップＳ５１に戻すが、参加者が存在しなければ処理を終了する。
【０１３０】
次に、スレッド情報の交換について、表示画面を用いて具体的に説明する。ここでは、携帯情報装置２００，２００Ａ，２００Ｂ，２００Ｃ，２００Ｄを、ユーザー識別情報「ユーザーＡ」、「ユーザーＢ」、「ユーザーＣ」、「ユーザーＤ」、「ユーザーＥ」のユーザーがそれぞれ操作する場合を例に説明する。さらに、ユーザー識別情報「ユーザーＡ」のユーザーが、スレッドを生成し、そのスレッドを、ユーザー識別情報「ユーザーＢ」のユーザー、さらに、ユーザー識別情報「ユーザーＣ」のユーザーとの間で交換する場合を例に説明する。
【０１３１】
図９は、ユーザーＡが操作する携帯情報装置に表示される第１の表示画面の編集情報入力時における一例を示す図である。第１の表示画面は、ユーザー識別情報「ユーザーＡ」が操作する携帯情報装置２００に、編集情報を入力する時点で表示される画面である。図９を参照して、第１の表示画面３００は、データを表示する領域３０１と、参加者情報を表示する領域３０３と、を含む。領域３０１は、ＭＦＰ１００から受信されるデータが表示される。ここでは、データを会議資料としている。領域３０３には、ＭＦＰ１００から受信される参加者情報が表示される。ここでは、ユーザー識別情報「ユーザーＡ」、「ユーザーＢ」、「ユーザーＣ」、「ユーザーＤ」、「ユーザーＥ」が参加者情報として表示されており、５人が会議に参加していることが示される。また、ユーザー識別情報「ユーザーＡ」が反転表示されており、携帯情報装置２００を操作するユーザーのユーザー識別情報が「ユーザーＡ」であることが示される。なお、図では反転表示をハッチングデ示している。
【０１３２】
領域３０１は、編集情報３０５、３０５Ａを含む。編集情報３０５は、「仕様は最新？」の文字列を含む。編集情報３０５Ａは手書きの描画を示している。
【０１３３】
図１０は、第１の表示画面のスレッド生成時における一例を示す図である。図１０に示す第１の表示画面３００Ａは、図９に示した第１の表示画面３００に、編集情報３０５Ｂ、３０５Ｃが追加された画面である。編集情報３０５Ｂは、編集情報３０５を囲む描画である。また、編集情報３０５Ｃは、編集情報３０５Ｂと、領域３０３に含まれるユーザー識別情報「ユーザーＢ」とを結ぶ描画である。携帯情報装置２００は、編集情報３０５Ｂの描画が入力される時点で、それまれに入力された編集情報３０５および編集情報３０５Ｂを、コンテンツに決定する。さらに、編集情報３０５Ｃの描画が入力される時点で、ユーザー識別情報「ユーザーＢ」を送信先に指定する操作を受け付ける。これにより、携帯情報装置２００は、編集情報３０５および編集情報３０５Ｂをコンテンツとし、ユーザー識別情報「ユーザーＢ」を送信先情報とするスレッド生成要求を、ＭＦＰ１００に送信する。
【０１３４】
スレッド生成要求を受信するＭＦＰ１００は、編集情報３０５および編集情報３０５Ｂをコンテンツとし、グループ情報をユーザー識別情報「ユーザーＢ」、「ユーザーＡ」とするスレッド情報を生成し、ユーザー識別情報「ユーザーＢ」の作成元情報とし、スレッド情報と作成元情報とを携帯情報装置２００Ａに送信する。
【０１３５】
＜送信先指定の変形例＞
図１１は、第１の表示画面のスレッド生成時における変形例の一例を示す図である。図１１に示す、スレッド生成時における変形例の第１の表示画面３３０は、図９に示した編集情報入力時における第１の表示画面３００に、編集情報３０５Ｂ、３０２を追加した画面である。編集情報３０５Ｂは、編集情報３０５を囲む描画である。また、編集情報３０２は、領域３０３に含まれるユーザー識別情報「ユーザーＡ」およびユーザー識別情報「ユーザーＢ」を囲む描画である。携帯情報装置２００は、編集情報３０５Ｂの描画が入力される時点で、それまれに入力された編集情報３０５および編集情報３０５Ｂを、コンテンツに決定する。さらに、編集情報３０２の描画が入力される時点で、ユーザー識別情報「ユーザーＡ」およびユーザー識別情報「ユーザーＢ」のうち、携帯情報装置２００を操作するユーザーのユーザー識別情報「ユーザーＡ」を除くユーザー識別情報「ユーザーＢ」を送信先に指定する操作を受け付ける。これにより、携帯情報装置２００は、編集情報３０５および編集情報３０５Ｂをコンテンツとし、ユーザー識別情報「ユーザーＢ」を送信先情報とするスレッド生成要求を、ＭＦＰ１００に送信する。
【０１３６】
スレッド生成要求を受信するＭＦＰ１００は、編集情報３０５および編集情報３０５Ｂをコンテンツとし、グループ情報をユーザー識別情報「ユーザーＢ」、「ユーザーＡ」とするスレッド情報を生成し、スレッド情報と、ユーザー識別情報「ユーザーＢ」の作成元情報と、を携帯情報装置２００Ａに送信する。
【０１３７】
図１２は、ユーザーＢが操作する携帯情報装置に表示される第２の表示画面の編集情報入力時における一例を示す図である。第２の表示画面は、ユーザー識別情報「ユーザーＢ」が操作する携帯情報装置２００Ａが、ＭＦＰ１００から受信したスレッド情報および作成元情報に基づいて表示する画面であり、編集情報を入力する時点に表示される画面である。なお、図中の点線は、説明のために付したもので、実際には存在しない。図１２を参照して、第２の表示画面３１０は、データを表示する領域３１１と、参加者情報を表示する領域３１３と、を含む。領域３１１は、ＭＦＰ１００から受信されるデータが表示される。第１の表示画面３０１に表示される画像と同じ、データの画像が表示される。領域３１３には、ＭＦＰ１００から受信される参加者情報が表示され、第１の表示画面３０３に表示される参加者情報と同じ画像である。但し、ユーザー識別情報「ユーザーＢ」が反転表示されており、携帯情報装置２００Ａを操作するユーザーのユーザー識別情報が「ユーザーＢ」であることが示される。なお、図では反転表示をハッチングで示している。
【０１３８】
領域３１１は、コンテンツ３１７，３１７Ａを含む。コンテンツ３１７，３１７Ａは、図１０に示した第１の表示画面３０１において、表示された編集情報３０５，３０５Ｂと同じであり、ＭＦＰ１００から受信されるスレッド情報に含まれる。
【０１３９】
さらに、領域３１１は、編集情報３１５と、関連付画像３１９を含む。編集情報３１５は、携帯情報装置２００Ａを操作するユーザーが、携帯情報装置に入力した文字列であり、ここでは、「古いです。最新はユーザーＣさんが持っています。」としている。
【０１４０】
関連付画像３１９は、コンテンツ３１７Ａと、ユーザー識別情報「ユーザーＡ」とを結ぶ線分である。この関連付画像によって、コンテンツ３１７，３１７Ａの送信元が、ユーザー識別情報「ユーザーＡ」のユーザーであることが示される。
【０１４１】
携帯情報装置２００Ａは、編集情報３１５が入力された後に、例えば、予め定められた返信キーが指示される等して返信の指示を受け付けると、それまれに入力された編集情報３０５を、コンテンツ３１７，３１７Ａに追加することによりコンテンツを更新し、更新後のコンテンツと、グループ情報を含む更新スレッド情報を、ＭＦＰ１００に送信する。
【０１４２】
携帯情報装置２００Ａから更新スレッド情報を受信するＭＦＰ１００は、更新スレッド情報を新たなスレッド情報とし、新たなスレッド情報と、ユーザー識別情報「ユーザーＢ」の作成元情報と、を携帯情報装置２００に送信する。
【０１４３】
図１３は、スレッドにユーザーを追加する場合における第１の表示画面の一例を示す図である。図１３に示す、スレッドにユーザーを追加する場合における第１の表示画面３００Ｂは、ユーザー識別情報「ユーザーＡ」が操作する携帯情報装置２００が、ＭＦＰ１００から受信されるスレッド情報および作成元情報に基づいて表示する画面であり、スレッドに新たなユーザーを追加するために編集情報を入力する場合に表示される画面である。図１３を参照して、第１の表示画面３００Ｂは、図１０に示した第１の表示画面３００Ａと異なる点は、編集情報３０５，３０５Ｂ、３０５Ｃが削除された点、編集情報３０５Ｄ，３０５Ｅが追加された点、コンテンツ３０７，３０７Ａが追加された点、関連付画像３０９が追加された点である。
【０１４４】
まず、携帯情報装置２００は、ＭＦＰ１００からスレッド情報を受信した時点で、図１０に示した第１表示画面３００Ａを表示しているが、その第１表示画面３００Ａから編集情報３０５，３０５Ｂ，３０５Ｃを消去し、コンテンツ３０７，３０７Ａおよび関連付画像３０９を表示する。コンテンツ３０７は、図１２に示した第２表示画面３１０において、表示されたコンテンツ３１７，３１７Ａに編集情報３１５を追加した画像である。関連付画像３０９は、コンテンツ３０７と、ユーザー識別情報「ユーザーＢ」とを結ぶ線分であり、コンテンツ３０７，３０７Ａの送信元が、ユーザー識別情報「ユーザーＢ」のユーザーであることが示される。
【０１４５】
その後、編集情報３０５Ｄが入力される。編集情報３０５Ｄは、ユーザーＡにより入力され、「ユーザーＣさん最新の仕様教えてください。」の文字列である。その後、編集情報３０５Ｅが入力される。編集情報３０５Ｅは、コンテンツ３０７Ａと、領域３０３に含まれるユーザー識別情報「ユーザーＣ」とを結ぶ描画である。携帯情報装置２００は、編集情報３０５Ｅの描画が入力される時点で、それまれに入力された編集情報３０５Ｄを、コンテンツ３０７，３０７Ａに追加することによりコンテンツを更新するとともに、グループ情報にユーザー識別情報「ユーザーＣ」を追加することによりグループ情報を更新する。そして、更新後のコンテンツと、更新後のグループ情報とを含む更新スレッド情報を、ＭＦＰ１００に送信する。
【０１４６】
携帯情報装置２００から更新スレッド情報を受信するＭＦＰ１００は、更新スレッド情報を新たなスレッド情報とし、スレッド情報と、ユーザー識別情報「ユーザーＡ」の作成元情報と、を携帯情報装置２００Ｂおよび携帯情報装置２００Ｃに送信する。携帯情報装置２００Ｃにおいては、ＭＦＰ１００からスレッド情報を受信すると、図１３に示したコンテンツ３０７，３０７Ａに、編集情報３０５Ｄを追加したコンテンツが表示される。
【０１４７】
＜送信先指定の変形例＞
図１４は、スレッドにユーザーを追加する変形例における第１の表示画面の一例を示す第２の図である。図１４に示す、スレッドにユーザーを追加する変形例における第１の表示画面３４０は、ユーザー識別情報「ユーザーＡ」が操作する携帯情報装置２００が、ＭＦＰ１００から受信されるスレッド情報および作成元情報に基づいて表示する画面であり、スレッドに新たなユーザーを追加するために編集情報を入力する場合に表示される画面である。図１４を参照して、第１の表示画面３４０は、図１１に示した第１の表示画面３３０と異なる点は、編集情報３０５，３０５Ｂが削除された点、編集情報３０５Ｄ，３０２Ａが追加された点、コンテンツ３０７，３０７Ａが追加された点である。
【０１４８】
まず、携帯情報装置２００は、ＭＦＰ１００からスレッド情報を受信した時点で、図１１に示した第１表示画面３３０を表示しているが、その第１表示画面３３０から編集情報３０５，３０５Ｂを消去し、コンテンツ３０７，３０７Ａを表示する。コンテンツ３０７，３０７Ａは、図１２に示した第２表示画面３１０において、表示されたコンテンツ３１７，３１７Ａに編集情報３１５を追加した画像である。
【０１４９】
その後、編集情報３０５Ｄが入力される。編集情報３０５Ｄは、ユーザーＡにより入力され、「ユーザーＣさん最新の仕様教えてください。」の文字列である。その後、編集情報３０２Ａが入力される。編集情報３０２Ａは、領域３０３に含まれるユーザー識別情報「ユーザーＡ」、「ユーザーＢ」および「ユーザーＣ」を囲む描画である。携帯情報装置２００は、編集情報３０２Ａの描画が入力される時点で、それまれに入力された編集情報３０５Ｄを、コンテンツ３０７，３０７Ａに追加することによりコンテンツを更新するとともに、グループ情報にユーザー識別情報「ユーザーＣ」を追加することによりグループ情報を更新する。そして、更新後のコンテンツと、更新後のグループ情報とを含む更新スレッド情報を、ＭＦＰ１００に送信する。
【０１５０】
携帯情報装置２００から更新スレッド情報を受信するＭＦＰ１００は、更新スレッド情報を新たなスレッド情報とし、スレッド情報と、ユーザー識別情報「ユーザーＡ」の作成元情報と、を携帯情報装置２００Ｂおよび携帯情報装置２００Ｃに送信する。携帯情報装置２００Ｃにおいては、ＭＦＰ１００からスレッド情報を受信すると、図１４に示したコンテンツ３０７，３０７Ａに、編集情報３０５Ｄを追加したコンテンツが表示される。
【０１５１】
図１５は、新たなスレッド生成時における第１の表示画面の一例を示す図である。図１５に示す、新たなスレッド生成時における第１の表示画面３００Ｃは、ユーザー識別情報「ユーザーＡ」が操作する携帯情報装置２００が、ＭＦＰ１００から受信されるスレッド情報および作成元情報に基づいて表示する画面であり、、新たなスレッドを生成するために編集情報を入力する場合に表示される画面である。図１５を参照して、第１の表示画面３００Ｃは、図１３に示した第１の表示画面３００Ｂと異なる点は、編集情報３０５Ｄ、３０５Ｅが削除された点、編集情報３０５Ｆ，３０５Ｇ，３０５Ｈが追加された点である。
【０１５２】
まず、携帯情報装置２００は、ＭＦＰ１００からスレッド情報を受信した時点で、図１０に示した第１表示画面３００Ａを表示しているが、その第１表示画面３００Ａから編集情報３０５，３０５Ｂ，３０５Ｃを消去し、コンテンツ３０７，３０７Ａおよび関連付画像３０９を表示する。コンテンツ３０７は、図１２に示した第２表示画面３１０において、表示されたコンテンツ３１７，３１７Ａに編集情報３１５を追加した画像である。関連付画像３０９は、コンテンツ３０７と、ユーザー識別情報「ユーザーＢ」とを結ぶ線分であり、コンテンツ３０７，３０７Ａの送信元が、ユーザー識別情報「ユーザーＢ」のユーザーであることが示される。
【０１５３】
その後、編集情報３０５Ｆが入力される。編集情報３０５Ｆは、ユーザーＡにより入力され、「ユーザーＣさん最新の仕様教えてください。」の文字列である。その後、編集情報３０５Ｇ、３０５Ｈが入力される。編集情報３０５Ｇは、編集情報３０５Ｆを囲む手書きの描画である。編集情報３０５Ｈは、編集情報３０５Ｇと、領域３０３に含まれるユーザー識別情報「ユーザーＣ」とを結ぶ描画である。携帯情報装置２００は、編集情報３０５Ｈの描画が入力される時点で、それまれに入力された編集情報３０５Ｆおよび編集情報３０５Ｇを、コンテンツに決定する。さらに、編集情報３０５Ｈの描画が入力される時点で、ユーザー識別情報「ユーザーＣ」を送信先に指定する操作を受け付ける。これにより、携帯情報装置２００は、編集情報３０５Ｆおよび編集情報３０５Ｇをコンテンツとし、ユーザー識別情報「ユーザーＣ」を送信先情報とするスレッド生成要求を、ＭＦＰ１００に送信する。
【０１５４】
スレッド生成要求を受信するＭＦＰ１００は、編集情報３０５Ｆおよび編集情報３０５Ｇをコンテンツとし、グループ情報をユーザー識別情報「ユーザーＡ」、「ユーザーＣ」とするスレッド情報を生成し、ユーザー識別情報「ユーザーＡ」を作成元情報とし、スレッド情報と作成元情報とを、ユーザー識別情報「ユーザーＣ」のユーザーが操作する携帯情報装置２００Ｂに送信する。
【０１５５】
図１６は、ユーザーＣが操作する携帯情報装置に表示される第３の表示画面の一例を示す図である。第３の表示画面は、ユーザー識別情報「ユーザーＣ」が操作する携帯情報装置２００Ｂが、ＭＦＰ１００から受信したスレッド情報および作成元情報に基づいて表示する画面である。図１６を参照して、第３の表示画面３２０は、データを表示する領域３２１と、参加者情報を表示する領域３２３と、を含む。領域３２１は、ＭＦＰ１００から受信されるデータが表示される。第１の表示画面３０１、第２の表示画面３１１に表示される画像と同じ、データの画像が表示される。領域３２３には、ＭＦＰ１００から受信される参加者情報が表示され、第１の表示画面３００の領域３０３および第２の表示画面３１０の領域３１３に表示される参加者情報と同じ画像である。但し、ユーザー識別情報「ユーザーＣ」が反転表示される点が異なり、携帯情報装置２００Ｂを操作するユーザーのユーザー識別情報が「ユーザーＣ」であることが示される。なお、図では反転表示をハッチングで示している。
【０１５６】
領域３２１は、コンテンツ３２７，３２７Ａを含む。コンテンツ３２７，３２７Ａは、図１５に示した第１の表示画面３００Ｃにおいて、表示された編集情報３０Ｆ，３０５Ｇと同じであり、ＭＦＰ１００から受信されるスレッド情報に含まれる。
【０１５７】
さらに、領域３２１は、関連付画像３２９を含む。関連付画像３２９は、コンテンツ３２７Ａと、ユーザー識別情報「ユーザーＡ」とを結ぶ線分である。この関連付画像によって、コンテンツ３２７，３２７Ａの送信元が、ユーザー識別情報「ユーザーＡ」のユーザーであることが示される。
【０１５８】
以上説明したように、本実施の形態における会議システム１は、複数の携帯情報装置２００，２００Ａ，２００Ｂ，２００Ｃ，２００Ｄそれぞれにおいて、ユーザーにより入力された編集情報の少なくとも一部をコンテンツに決定し、複数の参加者それぞれの複数のユーザー識別情報のうち１以上を送信先情報に決定し、スレッド生成要求をＭＦＰ１００に送信する。スレッド生成要求を受信するＭＦＰ１００は、スレッド生成要求に基づいてスレッド情報を生成し、複数の携帯情報装置２００，２００Ａ，２００Ｂ，２００Ｃ，２００Ｄのうちスレッド情報に含まれる送信先情報で特定される装置にスレッド情報を送信する。そして、複数の携帯情報装置２００，２００Ａ，２００Ｂ，２００Ｃ，２００Ｄのうちスレッド情報を受信する装置においては、ＭＦＰ１００から受信されたデータの画像に重畳して、スレッド情報に含まれるコンテンツを表示する。このため、データの画像が表示されている最中にユーザーが入力した編集情報の少なくとも一部のコンテンツが、参加者のうちから指定した任意の他のユーザーが操作する携帯情報装置において、データの画像に重畳して表示されるので、データの画像を閲覧しながら任意のユーザーに情報を伝達することができるとともに、データの画像を閲覧しつつ任意のユーザーからの情報を閲覧することができる。
【０１５９】
また、複数の携帯情報装置２００，２００Ａ，２００Ｂ，２００Ｃ，２００Ｄそれぞれは、ユーザーにより入力される描画を編集情報として検出する。このため、ユーザーは、編集情報を手書きで入力することができる。
【０１６０】
また、複数の携帯情報装置２００，２００Ａ，２００Ｂ，２００Ｃ，２００Ｄそれぞれは、検出される描画が所定領域を囲む図形の場合、編集情報のうち所定領域に含まれる部分をコンテンツに決定する。このため、ユーザーは、編集情報のうちからコンテンツを手書きで指定することができるので、コンテンツを指定する操作が容易となる。
【０１６１】
また、複数の携帯情報装置２００，２００Ａ，２００Ｂ，２００Ｃ，２００Ｄそれぞれは、コンテンツが表示されている状態で、ユーザーにより編集情報が入力されると、コンテンツに編集情報を追加することによりコンテンツを更新され、更新後のコンテンツを含むスレッド情報をＭＦＰ１００に送信する。このため、過去のコンテンツと、新たにユーザーにより入力された編集情報とを含む新たなコンテンツが送信されるので、過去に情報交換した履歴とともに、新たな情報を交換することができる。
【０１６２】
また、複数の携帯情報装置２００，２００Ａ，２００Ｂ，２００Ｃ，２００Ｄそれぞれは、コンテンツが表示されている状態で、スレッド情報に含まれるグループ情報に含まれていないユーザー識別情報の指定が受け付けられると、グループ情報に、指定されたユーザー識別情報を追加することによりグループ情報を更新し、ＭＦＰ１００においては、更新後のグループ情報に従って、スレッド情報を送信する。このため、情報を交換するユーザーを容易に追加することができる。
【０１６３】
また、ＭＦＰ１００は、複数の携帯情報装置２００，２００Ａ，２００Ｂ，２００Ｃ，２００Ｄのいずれかからスレッド生成要求を受信する場合、スレッド生成要求を送信してきた携帯情報装置を操作するユーザーを識別するためのユーザー識別情報を作成元情報としてスレッド情報に追加し、複数の携帯情報装置２００，２００Ａ，２００Ｂ，２００Ｃ，２００Ｄそれぞれにおいて、コンテンツと作成元情報とを関連付けて表示する。このため、コンテンツを送信してきたユーザーを通知することができる。
【０１６４】
また、ＭＦＰ１００は、複数の携帯情報装置２００，２００Ａ，２００Ｂ，２００Ｃ，２００Ｄのいずれかからスレッド情報を受信する場合、スレッド情報を送信してきた携帯情報装置を操作するユーザーを識別するためのユーザー識別情報を作成元情報としてスレッド情報に追加し、複数の携帯情報装置２００，２００Ａ，２００Ｂ，２００Ｃ，２００Ｄそれぞれにおいて、コンテンツと作成元情報とを関連付けて表示する。このため、コンテンツを送信してきたユーザーを通知することができる。
【０１６５】
また、複数の携帯情報装置２００，２００Ａ，２００Ｂ，２００Ｃ，２００Ｄそれぞれは、複数の参加者それぞれのユーザー識別情報を表示し、コンテンツを送信してきた作成元情報で特定されるユーザー識別情報の表示態様を、他のユーザー識別情報と異なる表示態様で表示するので、コンテンツを送信してきたユーザーを表示態様の違いで知らせることができる。
【０１６６】
また、複数の携帯情報装置２００，２００Ａ，２００Ｂ，２００Ｃ，２００Ｄそれぞれは、コンテンツが表示されている状態で、編集情報の少なくとも一部を指定する操作が受け付けられる場合、編集情報のうち指定された部分を新たなコンテンツに決定し、新たなコンテンツが決定された後に、１以上のユーザー識別情報を指定する操作を受け付ける場合、１以上のユーザー識別情報を新たな送信先情報に決定し、新たなコンテンツと新たな送信先情報とを含む新たなスレッド生成要求をＭＦＰ１００に送信する。そして、ＭＦＰ１００から複数種類のスレッド情報を受信する場合、複数種類のスレッド情報ごとにコンテンツをデータの画像に重畳して表示する。このため、複数種類のスレッド情報を生成することができ、複数種類のスレッド情報が生成される場合は、複数種類のスレッド情報ごとにコンテンツが表示されるので、データの画像を表示しつつ、異なるユーザーと異なる情報を交換することができる。
【０１６７】
なお、上述した実施の形態においては、会議システム１について説明したが、図７に示した閲覧処理を携帯情報装置２００，２００Ａ，２００Ｂ，２００Ｃ，２００Ｄそれぞれに実行させ、図８に示したスレッド管理処理をＭＦＰ１００に実行させ連絡方法、また、その連絡方法を携帯情報装置２００，２００Ａ，２００Ｂ，２００Ｃ，２００ＤそれぞれのＣＰＵ２１１に実行させ、ＭＦＰ１００が備えるＣＰＵ１１１１に実行させ連絡プログラムとして、発明を捉えることができるのはいうまでもない。
【０１６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６９】
１  会議システム、３  ネットワーク、５  無線局、１００  ＭＦＰ、２００，２００Ａ，２００Ｂ，２００Ｃ，２００Ｄ  携帯情報装置、２１１  ＣＰＵ、２１３  ＲＯＭ、２１５  ＲＡＭ、２１７  ＥＥＰＲＯＭ、２１９  ＬＣＤ、２２１  無線ＬＡＮＩ／Ｆ、２２３  操作部、２２５  外部Ｉ／Ｆ、２２５Ａ  ＣＤ−ＲＯＭ、５１  認証部、５３  参加者情報配信部、５５  データ取得部、５７  データ配信部、５９  スレッド生成要求受信部、６１  グループ情報生成部、６３  スレッド情報生成部、６５  作成元情報追加部、６７  更新スレッド情報受信部、６９  スレッド情報配信部、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１９  外部記憶装置、１１９Ａ  ＣＤ−ＲＯＭ、１２０  自動原稿搬送装置、１３０  原稿読取部、１４０  画像形成部、１５０  給紙部、１６０  操作パネル、１６１  表示部、１６３  操作部、１６５  タッチパネル、２１１  ＣＰＵ、２１３  ＲＯＭ、２１５  ＲＡＭ、２１７  ＥＥＰＲＯＭ、２１９  表示部、２２１  無線ＬＡＮＩ／Ｆ、２２３  操作部、２２５  外部Ｉ／Ｆ、２５０  ユーザー認証部、２５１  データ受信部、２５３  参加者情報受信部、２５５  表示制御部、２５７  送信先決定部、２５９  コンテンツ決定部、２６１  生成要求送信部、２６３  描画検出部、２６３  描画検出、２６５  編集情報検出部、２６７  スレッド情報受信部、２６９  コンテンツ更新部、２７１  グループ情報更新部、２７３  追加指示受付部、２７５  スレッド更新部、２７７  更新スレッド送信部、２８１  データ表示部、２８３  参加者表示部、２８５  関連付表示部、２８７  コンテンツ表示部、２８９  編集情報表示部、２９１  送信先指定受付部、２９３  コンテンツ指定受付部。
【図１】
0005835018.tif 000002
【図２】
0005835018.tif 000003
【図３】
0005835018.tif 000004
【図４】
0005835018.tif 000005
【図５】
0005835018.tif 000006
【図６】
0005835018.tif 000007
【図７】
0005835018.tif 000008
【図８】
0005835018.tif 000009
【図９】
0005835018.tif 000010
【図１０】
0005835018.tif 000011
【図１１】
0005835018.tif 000012
【図１２】
0005835018.tif 000013
【図１３】
0005835018.tif 000014
【図１４】
0005835018.tif 000015
【図１５】
0005835018.tif 000016
【図１６】
0005835018.tif 000017